(57)【特許請求の範囲】
【請求項１】
さまざまな種類の複数の医療装置から電子カルテ（ＥＭＲ）システムにデータを収集及び通信するシステムであって、前記医療装置のそれぞれは出力ポートを有し、前記システムは、
第１コントローラと、前記第１コントローラと連結して各局所短距離無線信号を受信することができる受信機と、前記第１コントローラと連結して医療施設のイーサネットの無線アクセスポイントと無線で通信することができる送受信機とを備える局所データ収集モジュールと、
各医療装置アダプタが、第２コントローラと、前記第２コントローラに連結して、それぞれの医療装置の出力ポートからデータを受信するよう前記複数の医療装置のそれぞれの医療装置に連結可能な入力ポートとを有し、各データ通信モジュールは、それぞれの前記第２コントローラに連結してそれぞれの医療装置から前記各短距離局所無線信号として受信した前記データを前記局所データ収集の前記受信機に送信することができる送信機を有する、複数の医療装置アダプタと
を備え、
前記局所データ収集モジュールは、前記各医療装置アダプタのそれぞれから無線で受信した前記データの少なくとも一部を、前記複数の医療装置に関連付けられた患者のカルテに自動入力するために、前記無線アクセスポイントを経由して前記ＥＭＲシステムに通信し、
各前記医療装置アダプタは、前記医療装置アダプタが連結されている前記対応する医療装置が前記患者に関連付けられた前記複数の医療装置から除去される場合に介護者により起動される解除入力を備える、
システム。
【請求項２】
前記局所データ収集モジュールは、前記第１コントローラと連結して前記医療施設の前記イーサネットと有線接続するよう構成されたイーサネットコネクタを含む、請求項１に記載のシステム。
【請求項３】
前記局所データ収集モジュールは、病院用ベッドに取り付けられるか、又は病院用ベッドの回路の一部として組み込まれる、請求項１に記載のシステム。
【請求項４】
病院用ベッドからのベッドデータが、前記局所通信モジュールの前記第１コントローラに伝送され、前記送受信機により前記医療施設の前記イーサネットの前記無線アクセスポイントに送信される、請求項３に記載のシステム。
【請求項５】
前記複数の医療装置アダプタは、第１無線通信プロトコルによって無線で前記局所データ通信モジュールと通信を行い、前記局所データ収集モジュールは、第２無線通信プロトコルによって前記無線アクセスポイントと通信を行い、前記第１無線通信プロトコルは、前記第２無線通信プロトコルと異なる、請求項１に記載のシステム。
【請求項６】
前記第１無線通信プロトコルは８０２．１５．４プロトコルであり、前記第２無線通信プロトコルは８０２．１１プロトコルである、請求項５に記載のシステム。
【請求項７】
前記各医療装置アダプタのうち少なくとも一台が、前記各医療装置アダプタのうち別の一台とさらに無線で通信するよう構成されることによって、局所無線メッシュネットワークを作成する、請求項１に記載のシステム。
【請求項８】
前記局所データ収集モジュールは、前記第１コントローラに連結して少なくとも一台の追加医療装置が有線接続により前記局所データ収集モジュールに連結されるように構成される少なくとも一つの拡張ポートを備える、請求項１に記載のシステム。
【請求項９】
前記局所データ収集モジュールは、病室の壁面又は病室の壁面に連結する頭壁に連結される、請求項１に記載のシステム。
【請求項１０】
無線（ＲＦ）位置信号及び超音波位置信号を送信するよう構成されたビーコンモジュールをさらに備え、前記複数の医療装置アダプタは、前記無線位置信号を受信する無線受信機と前記超音波位置信号を受信する超音波受信機とをそれぞれ有する、請求項１に記載のシステム。
【請求項１１】
前記各医療装置アダプタのそれぞれの前記第２コントローラは、前記無線位置信号の受信と前記超音波位置信号の受信との間の時間差を計算するよう構成され、前記各医療装置アダプタのそれぞれの前記第２コントローラは、前記ビーコンモジュールと前記医療装置アダプタとの間の距離を計算するよう構成され、前記各医療装置アダプタのそれぞれは、前記ビーコンモジュールからの距離を前記局所データ収集モジュールに送信し、前記局所データ収集モジュールは、前記ビーコンモジュールからの所定の距離内にある前記複数の医療装置アダプタだけに関連付けるよう設定されている、請求項１０に記載のシステム。
【請求項１２】
前記局所データ収集モジュールは、各病室の各患者に関連する前記医療装置に連結された前記医療装置アダプタによって送信される前記データを無線で読み取るために、前記医療施設の病室から病室に運ばれる車輪台付きコンピュータ（ＣＯＷ）に連結又はその一部として組み込まれ、前記データの少なくとも一部を前記各患者のそれぞれの前記電子カルテに自動入力する、請求項１に記載のシステム。
【請求項１３】
病室に存在する複数の医療装置と同室内の患者との関連付け及び関連を解除する方法であって、前記方法は、
前記複数の医療装置のそれぞれに連結された医療装置アダプタから送信される無線位置データを、関連付けコンピュータによって実行される関連付け規則プログラムに基づき、前記複数の医療装置のうちの第１サブセットが前記患者に関連付けられ、前記複数の医療装置のうちの前記第２サブセットが前記患者に関連付けられないように判断できる関連付けコンピュータで受信することと、
前記第１サブセットの装置の一覧をディスプレイ上に表示し、前記第２サブセットの装置を前記一覧から除外することと、
前記医療装置アダプタの一つから解除信号を前記関連付けコンピュータで受信することと
を備え、
前記解除信号は、前記医療装置アダプタが前記医療装置から患者データを受信している間に、前記医療装置アダプタのユーザ入力に携わる介護者に応答して送信される、方法。
【請求項１４】
前記ディスプレイは前記関連付けコンピュータの一部を成す、請求項１３に記載の方法。
【請求項１５】
前記関連付けコンピュータは病院用ベッドに連結され、前記ディスプレイは前記病院用ベッドから間隔をあけて設置されている、請求項１３に記載の方法。
【請求項１６】
触れると前記患者から第１サブセットのすべての医療装置の関連付け解除を開始するアイコンを前記ディスプレイ上に表示することをさらに備える、請求項１３に記載の方法。
【請求項１７】
前記第１サブセットのすべての医療装置の関連付けを前記患者から解除させることを確認するようユーザにディスプレイ上で促すことをさらに備える、請求項１６に記載の方法。
【請求項１８】
前記医療装置アダプタにより前記第１サブセットの医療装置から受信した装置データをデータ収集コンピュータに送信することをさらに備える、請求項１３に記載の方法。
【請求項１９】
前記データ収集コンピュータと前記関連付けコンピュータは同一のコンピュータである、請求項１８に記載の方法。
【請求項２０】
前記装置データの少なくとも一部を前記第１サブセットの医療装置から前記患者のカルテに自動入力するために、前記装置データを前記データ収集コンピュータから電子カルテ（ＥＭＲ）システムに送信することをさらに備える、請求項１８に記載の方法。
【発明の詳細な説明】
【技術分野】
【０００１】
本開示は、複数の患者用医療装置からのデータを収集、伝達、表示及び／又は分析するシステム及び方法に関する。より具体的には、本開示は、ほんの数例を挙げると、病院用ベッド等の患者用サポート装置、血圧モニター又は心電計等の生理学的モニター装置、及び静脈ポンプ又は人工呼吸器等の他の患者医療機器からのデータを取り扱うシステム及び方法に関する。
【背景技術】
【０００２】
医療分野では、患者それぞれの治療に関しさまざまな正規の機器製造業者からの高機能の機器が使用される。例えば、ほとんどの入院患者には様々な機能が備わったベッドが割り当てられる。それらの機能には、患者の体重測定機能、支持面における患者の姿勢監視機能、さらに各サイドレールが上がっているか下がっているかなどのベッドフレームの各部分の位置を特定し、ベッドの頭部が上昇する角度を含む支持面を支持する様々な可動式のデッキ部の位置を特定する機能を含むことができるが、それらに限定されるものではない。病院用ベッド又は病院用ベッド上に設置されたマットレスシステム（表面と呼ばれることもある）のなかには連続ローテーションセラピー、脈拍及び／又はバイブレーションセラピー、及び／又は交互加圧セラピー等の治療機能を備えているものもある。また、ローエアロス、最大膨張、及びＣＰＲ用の急速収縮等のさらなる支持面機能をも含むことができる。従って、各病院用ベッド及び／又はそれに付随する各支持面は、多種多様のデータを発生する高度な制御及び監視システムを備えている。
【０００３】
当然ながら、医療分野ではその他の高度な機器も使用することによって患者に治療を施し、あるいは患者の状態を監視している。そのような機器には、例えば人工呼吸器等の生命維持装置や、心電図（ＥＫＧ）、脳波計（ＥＥＧ）、心拍数モニター、血圧モニター、血液酸素飽和度モニター等の生体信号監視装置、及び静脈ポンプ、薬剤注入ポンプ、インスリンポンプ、受動運動装置等の他の患者治療装置を含むことができるが、それらに限定されるものではない。これらの機器のそれぞれも、通常、多種多様のデータを発生する高度な制御及び監視システムを有している。
【０００４】
病院によっては、異なる製造業者からの類似の機器を備えていることがあり、各医療従事者はその日常活動で関わってくる可能性がある。医療従事者にとって医療現場における異なる製造業者のすべての機器の制御や監視機能をすべて習熟することは困難である。しかしながら、各医療従事者が利用できるようにする各機器に共通した一定の主要情報或いはデータが存在する。このような主要情報は電子カルテ（ＥＭＲ）システムに記録されることが多い。医療従事者にとって、主要情報を物理的に手書きの表に記入し、その後同一人物或いはその他の医療従事者が手書きデータをＥＭＲシステムに入力することは珍しくない。主要情報を手書きの表に記入するには、医療従事者は多くの異なる製造業者が販売する多くの装置の各ユーザ画面の操作法に習熟しなければならない。医療従事者が必要な情報を探し、データを表に記入してその後ＥＭＲシステムに入力するという一連の手動動作では、データの誤入力を誘発する可能性がある。
【０００５】
広範にわたる医療機器から自動的に主要情報を取得してＥＭＲシステムに入力すると共に、医療従事者に各種データをどの種類の機器からのものかに関らず統一的に提示することができれば、医療現場にとってはおそらく便利であろう。また、様々な患者医療装置からのデータに論理的な条件（例えばＯＲ条件やＡＮＤ条件）を適用して警報を発するようプログラムすることができるシステムがあれば、場合によって有益であると思われる。医療基準は、時として各患者の医療のために設定され、異なる医療機器からのデータは医療基準の態様を測定することができる。各種装置からのデータに基づき、医療基準の様々な態様を監視し、及び医療基準から外れた状況が検出された場合に警報を医療従事者に発する又は通知を行う共通のシステムを備える機能は、医療環境によってはさらに有用性が高いであろう。
【０００６】
＜関連する出願への相互参照＞
本出願は、米国特許法第１１９条（ｅ）項に基づき、２００７年１０月２６日に出願された米国仮特許出願第６１／０００,４８９号及び２００８年１０月２０日に出願された米国仮特許出願第６１／１０６,８３０号の利益を主張すると共に、上記両出願を参照により本願明細書に明示的に援用する。
【発明の概要】
【課題を解決するための手段】
【０００７】
本発明は、添付の請求項が請求する特徴のうち一つ以上の特徴、及び／又は単独或いは組み合わせで特許性のある主題を備えることができる以下の特徴のうち一つ以上の特徴を有するシステム又は方法を備えることができる。
【０００８】
複数の各種患者医療装置からのデータを収集、通信、分析及び／又は表示するシステムを提供できる。このシステムは、第１コントローラ、第１コントローラと連結し各種患者医療装置から局所無線で信号を受信することができる受信機、及び第１コントローラと連結し医療施設のイーサネット無線アクセスポイントと無線で通信することができる送受信機を備える局所データ収集モジュールを有することができる。局所データ収集モジュールは、第１コントローラと連結されて医療施設のイーサネットと有線接続するよう構成されたイーサネットコネクタをさらに有していてもよい。
【０００９】
受信機は、例えば８０２．１５．４プロトコル（ジグビープロトコルとしても知られる）等の第１無線通信プロトコル或いは超広帯域プロトコルによって動作可能であり、送受信機は８０２．１１プロトコル等の第２無線通信プロトコルによって動作可能である。
【００１０】
本システムは、本願明細書では医療装置アダプター（ＭＤＡ）と呼ばれる複数のデータ通信モジュールをさらに有することもできる。各ＭＤＡは、第２コントローラ及び第２コントローラに連結される装置コネクタを有し、複数の患者医療装置のうち、それぞれの患者医療装置に連結してデータを受信することができる。各ＭＤＡにはそれぞれの第２コントローラに連結される送信機があり、第１無線通信プロトコルにより局所データ収集モジュールの受信機に局所無線信号を送信できる。複数のＭＤＡのうち、各ＭＤＡのコントローラは、複数の患者医療装置からそれぞれの患者医療装置の固有装置データプロトコルに従って受信したデータを共通データプロトコルに従うデータに変換し、関連送信機に局所無線信号の一部として局所データ収集モジュールに変換されたデータを送信させるようプログラムすることができる。他の実施形態では、ＭＤＡはそれぞれの医療装置から受信したデータ形式のまま単にデータを送信することができる。データ変換は、その後、局所データ収集モジュール又はサーバーや病院イーサネットに連結されたその他のコンピュータ装置などのさらに遠隔した場所で実施することもできる。
【００１１】
局所データ収集モジュールは、病院用ベッドと連結可能であり、又は病院用ベッドの回路の一部としてさらに包含されることも可能である。局所データ収集モジュールは、頭壁、アーム、支柱又は他の建築設備などのその他の装置に連結可能であり、又は、独立したコンピュータの一部となることも可能であり、或いは他の患者医療装置連結又は一体化することもできる。局所データ収集モジュールは、幾つかの実施形態において任意の増設コンピュータ装置だけでなく局所データ収集モジュールを搬送する移動用カートなどの車輪台付きのコンピュータ（ＣＯＷ）に連結できる。病院用ベッドからのデータは、局所通信モジュールの第１コントローラとの通信を行い、送受信機により医療施設のイーサネット無線アクセスポイントに送信することもできる。病院用ベッドからのデータには、病院用ベッドの機能又は特徴に関するデータ、病院用ベッドを識別するデータ、病院用ベッドの型式番号に関するデータ、病院用ベッドのソフトウェア改訂バージョンに関するデータ、病院用ベッドのサイドレール位置に関するデータ、病院用ベッドの車輪制動システムの状態に関するデータ、病院用ベッドの治療面の状態に関するデータ、病院用ベッドの体重測定システムに関するデータ、病院用ベッドの患者位置監視システムに関するデータ、病院用ベッドのベッド離床監視システムに関するデータ、病院用ベッドのヘッド部上昇角度に関するデータ等が含まれるが、それらに限定はされるものではない。
【００１２】
少なくとも各ＭＤＡのうちの一つは、他のＭＤＡと無線通信可能なように構成でき、局所の無線メッシュネットワークを形成することができる。局所データ収集モジュールは、コントローラに連結される少なくとも一つの拡張ポートを具備することができ、さらに有線接続により少なくとも１台の装置を局所データ収集モジュールに連結させるよう設定することができる。拡張ポートは、例えば複数のＲＪ−４５コネクタまたはポートにより構成することができる。局所データ収集モジュールのコントローラは、ＪＡＶＡアプリケーションを実行することができる。
【００１３】
各ＭＤＡは、それぞれに連結された或いはその回路の一部に組み込まれた位置検索装置を有することができる。位置検索装置は、無線受信機及び／又は無線送信機及び／又は超音波発信機及び／又は超音波受信機及び／又は赤外線受信機及び／又は赤外線送信機を備える。各ＭＤＡには、それぞれの第２コントローラと連結されるイーサネットコネクタを含み、医療施設のイーサネット又は局所データ収集モジュールとの有線接続用に構成できる。
【００１４】
ＭＤＡの送信機により送信される局所無線信号には、送信先アドレスを含むパケットが含まれる。送信先アドレスは、例えば、局所データ収集モジュールのアドレスに対応させることが可能であり、又は別のＭＤＡのアドレス、或いはＥＭＲシステム関連のコンピュータ装置等の医療施設イーサネット上の他のコンピュータ装置のアドレスに対応させることができる。
【００１５】
ＭＤＡが連結される患者医療装置の種別には、生体信号モニター（例えばＥＫＧ、ＥＥＧ、呼吸数モニター、または血圧モニター等）、生理学的モニター（血液酸素飽和度モニター、または温度センサー）、人工呼吸器、静脈ポンプ、薬剤注入ポンプ等の装置が含まれるがそれらに限定されない。各ＭＤＡはそれぞれ別の種別の装置に連結可能である。
【００１６】
本システムでは、局所データ収集モジュールとデータ通信を行うディスプレイも備えることができ、局所データ収集モジュールが一部又はすべてのデータ通信モジュールから受信するデータを表示できる。ディスプレイは、病院用ベッドと連結、或いはタブレットの一部に組み込んだり、又は遠隔コンピュータの一部、或いは局所コンピュータの一部、又は電子手帳（ＰＤＡ）などの携帯無線装置の一部に組み込んだりすることができる。幾つかの実施形態では、ディスプレイは局所データ収集モジュールの回路に一体化され、例えば病室の壁面又は頭壁に取り付ける共通の筐体に組み込まれる。幾つかの実施形態では、ディスプレイは受信データを表示せず、局所データ収集モジュールが通信している機器の種別を示す。そのような実施形態では、局所データ収集モジュールは、患者の記録に自動的にログインするため、病院イーサネットを経由してＥＭＲコンピュータなどの別のコンピュータ装置にデータを単に送信できる。ＥＭＲコンピュータは、患者の記録にデータをログ記録する前にユーザにデータを承認するよう促すように構成できる。
【００１７】
システムは、ＭＤＡから局所データ収集モジュールで受信するデータを分析することができる第３コントローラをさらに有することができる。データを分析するに当たり、第３コントローラは、少なくとも二つの別々のＭＤＡからのデータに基づき、警報を発すべき条件が存在しているかどうかを特定できる。必要に応じて、局所データ収集モジュールのコントローラに、この機能を有する第３コントローラの代わり或いはそれに加えて、同様のデータ分析機能をプログラムすることができる。第３コントローラ又は局所データ収集モジュールのコントローラは、エンドユーザがオブジェクト指向プログラミング技術によって警報条件をプログラムできるよう構成可能である。このようなオブジェクト指向プログラミング技術を使用すると、例えば医療従事者は、各種の患者医療装置からのデータ閾値を選択することができ、それらを論理的につなげて（すなわち、不等号や等号の算術式をＡＮＤやＯＲ論理条件などと組み合わせて）警報を発生することが可能になる。一般的な一実施例として、医療従事者は、第１患者医療装置で測定した第１測定条件（例えば心拍数）が第１閾値より高く、かつ第２患者医療装置で測定した第２測定条件（例えば体温）が第２閾値より高い場合に、指定の医療従事者に警報メッセージを送信するといったように警報条件をプログラムすることができる。
【００１８】
第３コントローラ又は局所データ収集モジュールのコントローラは、エンドユーザが選択的に複数のデータ通信モジュールからのデータを選択し、ディスプレイに示される少なくとも一つのダッシュボードに表示できるよう構成することができる。エンドユーザは、例えば、表示上のフィールドをタッチスクリーンで選択することでダッシュボードを作成し、どのデータをそのダッシュボード或いは複数のダッシュボードに含めるかを示すことができるデータフィールドは、ディスプレイに表示される関連患者医療装置の仮想図上に表示させることができる。局所データ収集モジュールは病院用ベッドに連結可能であり、ディスプレイは、例えば病院用ベッドのデータを少なくとも一部のＭＤＡから局所データ収集モジュールが受信したデータを示す情報と同時に表示するよう作動できる。
【００１９】
各ＭＤＡの一部又は全部は、以前に受信したパケットと同一である、関連患者医療装置から受信された後続情報パケットが局所データ収集モジュールに伝送されないように、データのフィルタリングを実行できる。このような手順によって、すでに局所データ収集モジュールに送信された情報を再度送信することによる不要な帯域の使用を低減することができる。ＭＤＡのうちの一つと局所データ収集モジュールとの間で通信が失われた場合、ＭＤＡはそれぞれの患者医療装置からの受信データをバッファに保存し、通信が再開した後に局所データ収集モジュールに送信するよう構成できる。
【００２０】
本開示によると、ＭＤＡは、装置の動作に関する装置データを有し、患者に関する患者データを有する患者医療装置と共に使用できる。患者データとは、例えば、患者の生理学的データ又は生体信号データなどが考えられる。患者医療装置には、装置データ及び患者データを取得するために通すポートを有することができる。ＭＤＡは、コントローラ及びコントローラに連結するコネクタを備え、患者医療装置のポートと連結して患者医療機器とデータ通信モジュールとの間を有線接続できる。患者医療装置の出力ポートとＭＤＡの入力ポートを接続するため、適切なコネクタが取り付けられているケーブルを設けることができる。ＭＤＡは、コントローラに連結する送信機をさらに有し、装置データ及び患者データに関する情報を備える各無線信号を送信できる。
【００２１】
ＭＤＡの位置を特定、つまり医療施設における患者医療装置の位置を特定するために使用される少なくとも一回の信号を送信又は受信する位置検出装置は、上記で示すようにデータ通信モジュールに連結或いは内蔵することができる。位置検出装置は、コントローラに連結される回路を有することできる。位置検出装置は、データ通信モジュールの筐体に連結される位置タグを備えることができる。位置検出装置には、超音波発信器、超音波受信機、或いは超音波送受信機を備えることができる。
【００２２】
データ通信モジュールは、データ通信モジュールとの有線接続を可能にするモジュールポートをさらに有することができる。モジュールポートは、患者医療装置ポートとは異なる種別であってもよい。例えば、患者医療装置のポートはＲＳ−２３２ポート又はユニバーサルシリアルバス（ＵＳＢ）ポートを備えることが可能であり、モジュールポートはＲＪ−４５ポートを備えることができる。データ通信モジュールの送信機は、８０２．１５．４プロトコル又は超広帯域プロトコルで無線信号を送信できる。データ通信モジュールのコントローラは、患者医療装置から受信される後続装置データ又は患者データパケットがそれ以前に受信された受信パケットと同一の場合、送受信機によって送信されないようにデータフィルタリングを実行するよう構成できる。
【００２３】
データ通信モジュールの送信機は、コントローラと連結する送受信機の一部に含めることができる。データ通信モジュールは、コントローラと連結する受信機をさらに有し、無線信号を受信することができる。データ通信モジュールの位置検出装置は、超音波受信機を備えることができる。コントローラは、本願明細書内で検討されたビーコンモジュールから無線位置信号を受信する受信機に対応してタイマーを開始させ、ビーコンモジュールから超音波信号を受信する超音波受信機に対応してタイマーを停止させるようプログラムすることができる。従って、ＭＤＡのコントローラは、無線信号の受信と超音波信号の受信との間の時間差を特定することができる。幾つかの実施形態では、ＭＤＡはこの時間差によってビーコンからの距離を計算するよう構成できる。ＭＤＡのコントローラは、時間差及び／又は距離を例えば局所データ収集モジュール等の他の装置に送信するようプログラムすることができる。ＭＤＡにより時間差が送信された場合、他の装置はＭＤＡとビーコンモジュールの距離を計算できる。無線位置信号及び／又は超音波位置信号は、データ通信モジュールの位置を特定するために使われる少なくとも一つの信号を含むことができる。時間差データ又は距離データに基づき、例えば局所データ収集モジュール等の他の装置は、さまざまなＭＤＡから受信したデータを特定の病院用ベッド又は患者に自動的に関連付けるようプログラム可能である。幾つかの実施形態では、上記関連付けをディスプレイで確認するように医療従事者を促すことができる。
【００２４】
本開示により、病院用ベッドにベッドリスナーモジュール（ＢＬＭ）を設け、病院用ベッドに連結させることができる。ＢＬＭは、例えば病室の壁面又は頭壁に取り付け可能なビーコンモジュールから無線信号及び超音波信号を受信する回路を有することができる。ＢＬＭは、ベッド上に置かれた局所データ通信モジュールと有線で接続するか、又はベッド上に位置する他の回路と連結できる。局所データ収集モジュールが病室の壁面又は頭壁或いはＣＯＷに取り付けられている場合などといった、局所データ収集モジュール又は関連付けコンピュータがベッドに取り付けられていない場合、ＢＬＭは無線信号と超音波信号の受信時間差を局所データ収集モジュール又は関連付けコンピュータに送信できるよう送信機を備えることができる。この場合、ＢＬＭはＭＤＡに備わる回路と非常に類似した、又は同一の回路を備えることができる。ベッドのデータがナースコールシステム又はその他の病院イーサネットのコンピュータ装置に含まれる有線接続又は無線回路によって送信される場合でも、ＢＬＭ回路はＭＤＡ回路と類似するが、８０２．１５．４プロトコルによる送信回路を省くことができる。
【００２５】
さらに本開示では、同一の病室にある複数の装置をその病室に居る第１患者或いは第２患者に関連付ける方法が提供される。該方法は、関連付けコンピュータまでの飛行時間又は到着時刻データを提供することができる。関連付けコンピュータは、飛行時間又は到着時刻データに基づき、第１患者に関連する第１参照地点及び第２患者に関連する第２参照地点からの各種装置への距離を特定することができる。第１及び第２参照地点は、それぞれ、第１及び第２ビーコンモジュールの位置に対応できる。該方法は、関連付けコンピュータにおいて、あらゆる装置を第１患者の第１参照地点からの第１所定距離内に関連付けること、及びあらゆる装置を第２患者の第２参照地点からの第２所定距離内に関連付けることをさらに備える。第１及び第２所定距離は、実質的に同等距離又は異なった距離であってもよい。
【００２６】
同一病室内に二つの同様の装置がある場合、本方法は、第１参照地点に最も近い類似装置を第１患者に関連付け、第２参照地点に最も近い類似装置を第２患者に関連付けることができる。どの患者医療装置がどの患者に関連付けられるか曖昧な場合、本方法は遠隔コンピュータから医療施設のイーサネット経由でデータを取得し、遠隔コンピュータから取得したデータに基づいて曖昧性を解決することが含まれる。遠隔コンピュータは、例えば電子カルテ（ＥＭＲ）システム及び／又は入退転院（ＡＤＴ）システムの一部であってもよい。本方法には、どの患者医療装置をその病室の２人又はそれ以上の患者のうち、どの患者に関連付けるべきかに関するすべての曖昧な点をユーザにディスプレイ上で解決させることを備えることができる。
【００２７】
データの飛行時間又は到着時刻は、ＭＤＡが連結された患者医療装置による無線信号の受信と超音波信号の受信との間の時間差によって特定できる。本開示では、一つ或いはそれ以上の参照地点に対する様々なＭＤＡの位置、すなわちそれに関連する患者医療装置の位置は、同一病室の様々な位置から発信される複数の超広帯域信号を使い、三角測量手法を適用して求められる。参照地点は、患者の位置、病院用ベッドの位置、局所データ収集モジュールの位置、又はマスタービーコン位置に対応する。したがって、本開示のビーコンモジュールは、超音波や赤外線信号などの他のいかなる信号も送信せずに、超広帯域信号を送信するよう構成できる。
【００２８】
また、本開示によれば、同一病室内の複数の装置をその病室における第１又は第２患者に関連付ける方法は、その複数の各装置から無線位置データを関連付けコンピュータに送信することを備える。関連付けコンピュータはそれに対応して、関連付けコンピュータによって実行される関連付け規則プログラムに基づき、少なくとも複数の装置のうちの一部を第１患者に関連付け、他の装置を第２患者に関連付けることを決定できる。複数の装置のうち少なくとも一つの装置が第１患者又は第２患者に関連付けられるべきかどうかに関する曖昧な点は、ユーザにディスプレイ上でその曖昧な点を解決するための情報を提供するよう促し、当該曖昧な点を解決するために要求した情報をユーザから受信することで解決できる。ディスプレイは、関連付けコンピュータの一部を備えている。ディスプレイは病院用ベッドに連結され、関連付けコンピュータは病院用ベッドから離れた場所にあってもよい。また別の例では、ディスプレイは病室の壁面、又は壁面に連結する頭壁に取り付けられる場合もある。各装置は、ＭＤＡが連結された患者医療装置を備えることができる。各装置は、ＢＬＭを有する病院用ベッドを備えることができる。
【００２９】
複数の各装置からの無線位置データの送信には、複数の各装置に連結される位置タグからの無線位置データの送信を備えることができる。さらに、複数の各装置からの無線位置データの送信には、複数の各装置に連結されるＭＤＡからの無線位置データの送信を備えることができる。複数の各装置からの無線位置データの関連付けコンピュータへの送信には、無線位置データを医療施設のイーサネットを経由して複数の各装置のそれぞれから関連付けコンピュータに送信することを備えることができる。
【００３０】
本開示によれば、車輪台付きのコンピュータ（ＣＯＷ）は、局所データ収集モジュールとして動作可能であり、病室から病室へ移動して、各病室の患者医療装置に連結されるＭＤＡからデータを収集できる。そのような実施例では、ＣＯＷのディスプレイは、特定の病室内のＣＯＷと無線通信しているどの装置を、データが自動的にログ記録される特定の患者に関連付けるかを医療従事者に選択するよう促すことができる。ＣＯＷが特定の患者に関連付けられた患者医療装置の各ＭＤＡからデータを受信した後、ＣＯＷはデータを無線でＥＭＲコンピュータに病院のイーサネット経由で送信できる。追加的又は代替的に、ＣＯＷは、特定の患者に関して取得したデータを単に保存し、後でＥＭＲコンピュータに送信することもできる。ＣＯＷを使用することによって、医療従事者は病室から病室へと移動し、それらの病室に居るさまざまな患者のカルテに自動的にログインするためのデータを取得できる。データ取得はＣＯＷにより自動的に行われ、それにより医療従事者が行う手動によるデータ取得作業が低減されるか不要となる。場合によっては、ＣＯＷに付随するキーボードを使ってある程度のデータ入力作業が必要になることがある。しかし、ＣＯＷによってＭＤＡ経由で患者医療装置から自動的に取得できる電子データが多ければ多いほど、人的過誤の可能性が少なくなる。
【００３１】
局所データ収集モジュール、ＭＤＡ、ビーコンモジュール、ＢＬＭ、ＣＯＷ及びそれら装置を有するシステムの作成方法及び使用方法も検討され、本開示の範囲内にあることを意図している。
【００３２】
単独又は上記に記載された特徴及び請求項に記載の特徴を含む他の特徴との組み合わせから成るさらなる特徴は、特許性のある主題を備えることが可能であり、現在理解される本発明を実施するための最良の形態を実証する例示的な各実施形態の以下の詳細な説明を考察することにより、当業者にとって明らかになるであろう。
【００３３】
詳細な説明は、特に添付の図を参照する。
【図面の簡単な説明】
【００３４】
【図１】病院用ベッドに連結され、多くの患者医療装置に取り付けられる各医療装置アダプタ（ＭＤＡ）からの無線信号を受信する局所データ収集モジュールを示すブロック図であり、病院用ベッド及びその他の患者医療装置から局所データ収集モジュールにより受信された少なくとも一部のデータを表示するディスプレイを備える病院用ベッドと、病院イーサネットに有線接続（両方向の点線矢印で示されている）及び／又は病院イーサネットの無線アクセスポイント（ＷＡＰ）への無線接続により連結可能である局所データ収集モジュールと、入退転院（ＡＤＴ）システム、インターネット、電子カルテ（ＥＭＲ）システム、位置検出及び追跡システム、ワークフローシステム、ナースコールシステム及び通信システムを含んでいる又はそれらに連結されている病院イーサネットとを示している。
【図２】コントローラ、コントローラに連結される無線通信回路、コントローラに連結される有線接続用ポート、コントローラに連結される装置接続用ポート、及びコントローラに連結される位置検出装置（点線で示す）を備えるＭＤＡを示すブロック図である。
【図３】病室における２台の病院用ベッド及び複数の患者医療装置を示すブロック図であり、該患者医療装置の一部は該病院用ベッドのうちの１台に割り当てられた患者の治療に使用され、他の患者医療装置はもう１台の病院用ベッドに割り当てられた患者の治療に使用されている図である。
【図４】病院用ベッド、血圧モニター、人工呼吸器のレンダリング（ｒｅｎｄｅｒｉｎｇ）が表示されるホーム画面のスクリーンショットである。
【図５】ホーム画面上でベッド・レンダリングを選択したことにより表示されるベッド画面のスクリーンショットであり、ベッド画面は、ベッドに支持される患者のベッドの体重計システムによって測定された体重だけでなく、ベッド各部の角度、高さ、長さ位置に関する各種情報を提供している図である。
【図６】ホーム画面で血圧モニター図を選択したことにより表示される血圧モニター画面のスクリーンショットであり、血圧モニター画面は、実際の物理的装置に表示されるのと同じ位置にあるレンダリング上に血圧情報を示し、画面の右下部分にその情報の拡大図、画面の右上部分に血圧グラフを示している。
【図７】ホーム画面で人工呼吸器レンダリングを選択したことにより表示される人工呼吸器画面のスクリーンショットであり、該人工呼吸器画面は、画面右側に人工呼吸器のレンダリングを示し、人工呼吸器レンダリングの左に人工呼吸器の主要情報を表示している拡大ウィンドウを示す。
【図８】病院用ベッドの各押しハンドルの間のフレームに取り付けられた拡張ポートを示す病院用ベッドのヘッドエンドの部分等角図であり、該拡張ポートは、無線によるデータ送信の必要なくデータを局所データ収集モジュールに転送するために患者治療装置を有線で連結可能である一連のポートを備えている図である。
【図９】図１と類似の本開示によるシステムの代替実施例の概略図であり、病室の頭壁に取り付けられた局所データ収集モジュール（図９では「ウォールハブ」として参照される）を備え、順次ベッド上の患者サポートに連結される各関連医療装置に連結されるＭＤＡからデータを受信するシステムを示し、さらにシステムはＭＤＡと通信して病室におけるＭＤＡの位置情報を特定するビーコンモジュールを有し、局所データ収集モジュールはＥＭＲシステムに連結され、さらに順次ＡＤＴシステムが連結されるハブスーパーバイザーに連結される図である。
【図１０】図９のウォールハブに組み込まれ、或いは連結されるディスプレイのスクリーンショットであり、ウォールハブ及びディスプレイが位置する病室番号を左上に表示し、患者が病室に割り当てられていないことを示す「空室」の表示を画面右上に表示し、「装置」の表題下の空白の欄は、図９のシステムがウォールハブと患者治療装置の間で無線通信を確立していない状態であることを示す。
【図１１】図１０と類似のスクリーンショットであり、画面右上には関連する患者名を示し、「装置」表題の下にはウォールハブと通信を行っている２つの装置名が表示されている。
【図１２】図１１と類似のスクリーンショットであり、「装置」表題の下の装置名の横に色別で状態を示すボックスがあり、緑はウォールハブが現在関連装置からデータ受信中であることを示し、黄色は何らかの通信異常が発生していることを示す。
【図１３】図１０〜図１２と類似のスクリーンショットであり、ウォールハブが病室内のいずれかの機器と通信することができないことを知らせるために、画面上に「ハブとの接続が切断されました」メッセージと共に現れるポップアップ画面を示す。
【図１４】図１３と類似のスクリーンショットであり、ウォールハブが関連の遠隔サーバーと通信することができないこと知らせるために、画面上に「病室のデータサーバーとの接続が切断されました」メッセージと共に現れるポップアップ画面を示す。
【図１５】図１１と類似のスクリーンショットであり、ユーザが画面の下部に表示される「すべての装置を切り離す」アイコンを選択した後に画面上に表示されるポップアップウィンドウを示し、該ポップアップウィンドウは医療従事者が病室においてウォールハブをすべての装置から切り離すべきかを確認するために選択可能である「ＯＫ」ボタンと、病室におけるウォールハブとすべての患者医療装置との切り離しを行うべきでない場合の「ＮＯ」ボタンとを備えることを示している。
【図１６】取り付けブラケットに連結されたＭＤＡのうちの一つの斜視図である。
【図１７】取り付けブラケットから外されたＭＤＡを示す分解図である。
【図１８】ＭＤＡの正面図である。
【図１９】図１８と類似のＭＤＡの正面図であり、ユーザ入力とＲＳ−２３２データポートとを見せるよう下に開けられた下部カバーを示している。
【図２０】ＭＤＡの背面図であり、装置に電力を供給する各バッテリー交換のために取り外し可能なバッテリードアを示している。
【図２１】下部カバーが開けられたＭＤＡの側面図である。
【図２２】取り付けブラケットに連結された各ビーコンモジュールのうちの一つの斜視図である。
【図２３】取り付けブラケットから外されたビーコンモジュールを示す分解図である。
【図２４】ユーザ入力及びデータポートを示しているビーコンモジュールの底面図である。
【図２５】ディスプレイモジュールの斜視図であり、ディスプレイモジュールの側面にアンテナが取り付けられているディスプレイモジュールを示している。
【図２６】取り付けブラケットに連結されたＢＬＭのうちの一つの斜視図である。
【図２７】取り付けブラケットから外されたＢＬＭを示す分解図である。
【図２８】ユーザ入力とデータポートを備えるＢＬＭの底面を示す斜視図である。
【図２９】局所データ収集モジュールが車輪台付きコンピュータ（ＣＯＷ）の一部として組み込まれ、病室から病室へと移動しながらそれぞれの病室の各患者に割り当てられた患者治療装置に連結されたＭＤＡからデータを収集するシステムの代替実施例の概略図である。
【発明を実施するための形態】
【００３５】
複数の患者医療装置１２からのデータを収集、通信、分析及び／又は表示するシステム１０を図１に示す。システム１０には、バージニア州リッチモンドのトリディアム社（Ｔｒｉｄｉｕｍ, Ｉｎｃ.）から入手可能なＪａｖａ Ａｐｐｌｉｃａｔｉｏｎ Ｃｏｎｔｒｏｌ Ｅｎｇｉｎｅ（ＪＡＣＥ）等の局所データ収集モジュール１４を備えている。システム１０のプロトタイプでは、モジュール１４としてトリディアムのＮＩＡＧＡＲＡ（登録商標）ソフトウェアに含まれるＪＡＣＥ−２０１を使用した。しかしながら、他の実施形態では、モジュール１４は無線通信機能を有する他の種類の各コンピュータ装置を備えることができる。例えば、ＪＡＣＥ７と称されることもあるＪＡＣＥ−７００をモジュール１４として使用するシステム１０の一実施形態を本開示によって検討する。モジュール１４には、コントローラ１６（例えば、マイクロプロセッサ又はマイクロコントローラと関連回路等）及び第１コントローラに連結され局所的無線信号を受信することができる受信機１８が含まれる。モジュール１４は、コントローラ１６に連結される送受信機２０をさらに備えており、医療施設のイーサネット２４の無線アクセスポイント２２に、例えば８０２．１１プロトコル（８０２．１１ｇ等）を含むＷｉＦｉプロトコル等により無線通信することができる。局所データ収集モジュール１４には、コントローラ１６と連結される８０２.３ポート又はＲＪ−４５コネクタなどのイーサネットコネクタ２６も備わっており、図１の点線２８で示されるように、医療施設のイーサネット２４との有線接続用に設定されている。したがって、モジュール１４とイーサネット２４との両方向データ通信は、無線、有線接続或いはデータリンクで行うことができる。
【００３６】
モジュール１４の受信機１８は、８０２．１５．４プロトコル（ジグビープロトコルとしても知られる）などの近距離無線通信プロトコル又は超広帯域プロトコル（例えば、現存する又は現在開発中或いは将来開発されるすべての超広帯域通信プロトコル）によって動作可能である。他の実施形態では、受信機１８はモジュール１４から装置１２にデータを送信することもできる送受信機の一部に含まれる。モジュール１４が一つ又はそれ以上の別々の受信機及び送信機を備え、各装置１２及びその他の装置と通信を行うことも、本開示の範囲に含まれる。
【００３７】
図１に示すように、システム１０は複数のデータ通信モジュール３０をさらに有する。各データ通信モジュール３０は、本願明細書内で医療装置アダプタ（ＭＤＡ）と呼ばれることがあり、これらの用語は同一の意味で使われる。各ＭＤＡ３０にはコントローラ３２（例えば、マイクロプロセッサ又はマイクロコントローラ及び関連回路）及びコントローラ３２に連結され、各患者医療装置１２のコネクタ３６（図１参照）と連結可能な装置コネクタ３４（図２参照）が含まれる。一部の患者医療装置１２のコネクタ３６は、ＲＳ−２３２ポートであり、その他の患者医療装置ではユニバーサルシリアルバス（ＵＳＢ）ポートである。
【００３８】
幾つかの実施形態においては、モジュール３０のコネクタ３４は関連装置のコネクタ３６に連結するために適宜構成されている。したがって、ある特定の装置１２のコネクタ３６がどんな種別であろうとも、モジュール３０を装置１２のコネクタ３６に連結するために、モジュール３０のコネクタ３４を適切に設定することは本開示の範囲内である。本願明細書に示される幾つかの実施形態には、適宜構成されたカップラーを各端部に備える各ケーブルを各モジュール３０の各コネクタ又は各ポート３４及び各装置１２の各コネクタ又は各ポート３６に接続するために使用する。このような各ケーブルは、各装置１２の出力ポートが特殊、或いはあまり使われない種類の場合、特注設計できることが理解されるであろう。
【００３９】
ＭＤＡ３０はそれぞれ、図２に示すように、コントローラ３２に連結され、関連する無線通信プロトコルに従って局所無線信号を局所データ収拾モジュール１４の受信機１８に送信できる通信回路及び／又は送信機３８を有しており、システムの幾つかの実施形態においては、該無線通信プロトコルは８０２．１５．４プロトコルであるが、他の実施形態ではその他の超広帯域プロトコル又は他のプロトコルでもよい。モジュール３０の送信機３８によって送信される無線信号には、関連装置１２からコネクタ３４経由でモジュール３０によって受信されるデータが含まれる。
【００４０】
幾つかの実地形態においては、装置１２から受信されたデータは装置１２から受信されたデータのデータ形式又はプロトコルに従って送信される。しかし、本開示は、モジュール３０のコントローラ３２は、関連装置１２からその特定の装置固有の装置データプロトコルによって受信したデータを共通プロトコル又は形式に変換し、その後送信機３８に変換されたデータを局所データ収集モジュール１８に送信するようプログラムできることを検討する。他の実施形態では、装置１２からのデータのプロトコル又は形式変換は、モジュール１４のコントローラ１６で実行される。一部の装置１２についてモジュール３０でデータ変換を行い、他の装置１２についてはモジュール１４で変換するような各システムも検討する。また、病院イーサネット２４に接続され、モジュール１４、３０が設置される病室から遠隔に位置する他のコンピュータ装置で一つの形式から他の形式にデータ変換を行う各システムを、さらに本開示で検討する。
【００４１】
局所データ収集モジュール１４は、例示的な実施例において病院用ベッド４０に取り付けられる。その他の実施例では、モジュール１４はそこに不随する別個の分離されたモジュールではなく、病院用ベッド４０の回路又は電気システムの一部として組み込まれる。病院用ベッド４０からのデータは、局所通信モジュール３０のコントローラ１６との通信を行い、同様に、送受信機２０により医療施設のイーサネット２４の無線アクセスポイント２２に送信することもできる。局所データ収集モジュール１４のコントローラ１６は、ＪＡＶＡアプリケーションを実行することができる。幾つかの検討された実施形態においては、病院用ベッド４０は、例えばＨｉｌｌ-Ｒｏｍ社のＴｏｔａｌＣａｒｅ（登録商標）ベッドである。
【００４２】
モジュール３０を病室の壁、病室の壁に連結される頭壁（図３の頭壁１０１及び１０２を参照）、アーム、支柱、又はその他の建築設備（不図示）などの他の装置に連結すること、又は独立したコンピュータの一部とすること、或いは他の患者医療装置に連結又は一体化することは、本開示の範囲内である。例えば図９に示す例示的な実施形態では、局所データ収集モジュール及びディスプレイは一体化されており、病室の頭壁に連結するよう概略的に示されている。図９では、モジュール１４６０は「ウォールハブ」と称されている。モジュール１４が病院用ベッド４０と結合される場合、それは「ベッドハブ」と称することができ、ベッドデータはベッドハブに有線接続で伝送される。モジュール１４がベッド４０に取り付けられていない、又はベッド４０の回路の一部として含まれない場合、各ＭＤＡ３０が装置１２からのデータをモジュール１４に送信するのとほぼ同様の方法でベッド４０はそのベッドデータを無線でモジュール１４に送信する。
【００４３】
病院用ベッドからのデータには、病院用ベッドの機能又は特徴に関するデータ、病院用ベッドの識別に関するデータ、病院用ベッドの型式番号に関するデータ、病院用ベッドのソフトウェア改訂バージョンに関するデータ、病院用ベッドのサイドレール位置に関するデータ、病院用ベッドの車輪制動システムの状態に関するデータ、病院用ベッドの治療面の状態に関するデータ、病院用ベッドの体重測定システムに関するデータ、病院用ベッドの患者位置監視システムに関するデータ、病院用ベッドのベッド離床監視システムに関するデータ、及び病院用ベッドのヘッド部が持ち上げられている角度を含むベッドの寝台面部分の角度位置に関するデータが含まれるがそれらに限定されるものではない。米国公開特許公報第２００７／０２１０９１７号（Ａ１）は、ベッドデータのさらなる実施例を提供しており、当該公報が教示するすべての内容について参照により本願明細書に援用する。
【００４４】
場合によって、各ＭＤＡ３０は各装置１２の各コネクタ３６経由で接続される各装置１２から、又はその他の各電源コネクタ（不図示）から電源を供給される。また別の場合は、各ＭＤＡ３０は各ＭＤＡに内蔵する電池から電源を供給される。８０２．１５．４プロトコルは、短距離、低速（すなわち低データ速度）及び低電力で装置間通信を行う低コストの無線パーソナルエリアネットワーク（ＷＰＡＮ）を構築するための、基本的なより低いネットワーク層を提供するのに適している。したがって、各ＭＤＡ３０及び各局所データ収集モジュール１４間で８０２．１５．４通信プロトコルを使用することによって、他の電源から特定のＭＤＡに電源が供給されない場合に電池寿命を伸ばす。
【００４５】
図１の点線４２で示すように、データ通信モジュール３０の少なくとも１台はデータ通信モジュール３０の別の一台と無線通信するように構成可能であり、これによって局所無線メッシュネットワークを構築する。したがって、使用する短距離無線通信によってモジュール３０の一つがモジュール１４と正しく通信することができる範囲内にある場合、さらに別のモジュール１４が第１モジュール３０の範囲内にあるがモジュール１４の範囲内でない場合、モジュール１４の範囲内にあるモジュール３０はその関連データをモジュールと通信すること及び他のモジュールに関連するデータを通信することができる。さらに、複数のモジュール３０は無線メッシュネットワークを構築することができ、さらにモジュール１４に直接通信することができない範囲外の各モジュール３０は、そのすべてのモジュール１４に関連するデータを範囲内にある一つ以上のモジュール１４を経由してモジュール１４に転送することができる。
【００４６】
図１に示すように、局所データ収集モジュール１４は、コントローラ１６と連結する少なくとも一つの拡張ポート４４を備え、少なくとも一つの追加装置を有線接続４６経由で局所データ収集モジュールに連結するよう設定できる。複数の拡張ポート４４をシステム１０に含めてもよいと考えられる。各拡張ポート４４には、例えば複数のＲＪ−４５コネクタ又はポートを備えることができる。ＲＳ−２３２ポート、ＲＳ−４８５ポート、ＵＳＢポート等の他の種類のコネクタ又はポートは、拡張ポート装置に組み込まれるものとして考えられる。図８に示す例示的な実施例においては、各ＲＪ−４５ポート１１２の集合体１１１は拡張ポート４４として使用され、各装置１２との有線接続を可能にする。図８の実施例では、ケーブル１１４はその末端にＲＪ−４５コネクタ１１６を有し、拡張ポート４４のＲＪ−４５コネクタ１１２の一つに挿入されている。
【００４７】
図８の拡張ポート４４は、ベッド１２のヘッドエンド１２０にあるフレーム１１８の一対のベッド１２の押しハンドル１２２間に物理的に取り付けられている。さらに図８で示唆されるように、拡張ポート４４の下側に電源ケーブル１２６のプラグ１２４を受容するための一つ以上の電源コンセントが設けられいる。電源ケーブル１２６及び／又はケーブル１１４は、ベッド４０の患者に医療を提供する患者医療装置１２の一つから伸びている。ベッド４０のヘッドエンド１２０は通常病室の壁面又は頭壁近くに位置し、患者が使用中のベッドでは患者をサポートする多くの患者医療装置が通常ヘッドエンド近くに位置するので、拡張ポート４４をベッド４０のヘッドエンド近くに置くことは、ケーブル１１４などのような多くのケーブルを拡張ポート１１２にまとめることで医療従事者がベッドサイドから患者に近寄る際に邪魔にならないよう、又ベッドのサイドレールなどのベッド部品の動作に対する干渉を最小限にできる。他の実施形態では、拡張ポート４４は病室の壁面又は頭壁に連結され、各装置１２又は各装置１２に連結される各ＭＤＡからの各ケーブルは拡張ポート４４の各コネクタ１１２に挿入される。
【００４８】
ＭＤＡ３０は、図２に概略的に示すように、それぞれが連結又は内蔵する位置検出装置５０を備えている。位置検出装置５０は、無線、赤外線又は超音波受信機等のような受信機５２、及び／又は無線、赤外線又は超音波受信機等のような送信機５４を備えることができる。幾つかの実施形態では、位置検出装置５０の回路は、図２の点線５５で示すようにコントローラ３２と連結させることができ、その場合送信機５４は省略し、送信機３８を他の目的の使用に加えて位置検出機能に使用できる。データ通信モジュール３０のそれぞれには、コントローラと接続され、医療施設のイーサネット２４に、或いは他のモジュール３０に関連付けられたポートなどの他のポート又は拡張ポート４４に有線接続するよう構成されたイーサネットコネクタ５６を有することができる。ポート５６は、例えばＲＪ−４５コネクタ等の８０２.３ポートであってもよい。位置検出装置５０は、関連するジュール３０の位置、従ってそのモジュールに連結された装置１２が医療施設のどこにあるかを検出するために使用される。この位置データの使用によって、特定の装置１２を特定の患者又はベッド４０等の他の装置に自動的に関連付けることができる。
【００４９】
各データ通信モジュール３０の各送信機３８により送信される局所無線信号は、送信先アドレスを含むパケットを備えることができる。送信先アドレスは、例えば局所データ収集モジュール１４のアドレスに対応させることができ、又は無線メッシュネットワークの一部を構成する別のデータ通信モジュール３０のアドレスに対応させることができ、或いはイーサネット２４に連結又は含まれる別の装置に対応させることもできる。
【００５０】
データ通信モジュール３０が連結される患者医療装置１２の種別には、生体信号モニター（ＥＫＧ、ＥＥＧ、呼吸数モニター、及び／又は血圧モニター等）、生理学的モニター（血液酸素飽和度モニター、及び／又は温度センサー）、人工呼吸器、静脈ポンプ、及び／又は薬剤注入ポンプなどの装置が含まれるがそれに限定されない。本開示は、外部装置にデータを提供する出力ポートを備えるありとあらゆる種類の患者医療装置に各モジュール３０を連結できると考える。場合によって、各患者医療装置１２から出力されるデータを完全に解読する（例えばデータの書式設定）ためには、そのような各装置の製造業者の協力を得る必要がある。なぜならば各製造業者が独自の固有及び／又は専有のデータ形式プロトコルを開発できたかもしれないからである。しかし、システム１０がモジュール１４によるデータ収集を、様々な製造業者よる多種多様の機器を対象にできることは理解されるであろう。例えば、プロトタイプシステムでは、モジュール１４がＰｕｒｉｔａｎ Ｂｅｎｎｅｔｔ ８４０人工呼吸器及び血圧監視とパルス酸素濃度を計測する生理学的モニターであるＤｉｎａｍａｐ Ｐｒｏ ３００からのデータ送信を受信した。
【００５１】
例示的なシステム１０は、局所データ収集モジュール１４とデータ通信を行うディスプレイ６０をさらに有することができ、ディスプレイ６０は局所データ収集モジュール１４が一部の又はすべてのデータ通信モジュール３０から受信したデータを示す情報を表示できる。図１に示すように、ディスプレイ６０は病院用ベッド１４と連結、或いはタブレット（図示されていないがプロトタイプシステムには含まれる）の一部に含めること、又は遠隔コンピュータ（不図示）の一部、或いは局所コンピュータ（不図示）の一部、又は電子手帳（ＰＤＡ）等の携帯無線装置の一部に含めることができる。
【００５２】
さらにシステム１０はコンピュータ装置等の第３コントローラを備えることができ、それによって局所データ収集モジュール１４がデータ通信モジュール３０から受信したデータを分析できる。データを分析するに当たり、第３コントローラは少なくとも二つの別々のデータ通信モジュールからのデータに基づいて警報を発すべき条件が存在しているかどうかを特定できる。第３コントローラは、イーサネット２４に連結されたコンピュータの一部であってもよい。必要に応じて、局所データ収集モジュール１４のコントローラ１６に、分析機能を持つ第３コントローラの代わり或いはそれに加えて、同様のデータ分析機能をプログラムすることができる。第３コントローラ又は局所データ収集モジュール１４のコントローラは、エンドユーザがオブジェクト指向プログラミング技術によって警報条件をプログラムできるように構成可能である。ＴｒｉｄｉｕｍのＪＡＣＥ装置のオブジェクト指向プログラミングに関連すると見られている米国特許第７,２２５,４２６号及び第６,８３２,１２０号を参照のこと。各警報条件は、医療基準に従って確立することができる。
【００５３】
本開示によれば、第３のコントローラ又は局所データ収集モジュール１４のコントローラ１６は、エンドユーザが選択的に複数のデータ通信モジュール３０からのデータを選択し、ディスプレイ６０に示される少なくとも一つのダッシュボード上に表示できるように構成可能である。エンドユーザは、例えば、ディスプレイ６０上のフィールドをタッチスクリーンなどで選択することによってダッシュボードを作成し、これによりどのデータがダッシュボードに含まれるかを表示できる。データフィールドは、ディスプレイ６０に表示される関連する患者医療装置１２の仮想図上に設けることができる。各ＭＤＡによって取得され、局所データ収集モジュール１４に送信されたデータは、ディスプレイ６０にグラフ又は表形式で表示させることができる。
【００５４】
システム１０の一実施形態では、ヒルーロム社のＴｏｔａｌＣａｒｅ（登録商標）ベッド、Ｐｕｒｉｔａｎ Ｂｅｎｎｅｔｔ ８４０人工呼吸器、Ｄｉｎａｍａｐ Ｐｒｏ ３００モニターのそれぞれの仮想図１３０、１３２、１３４が、図４に示すようにディスプレイ６０のホーム画面１２９に同時に表示された。このシステム１０の実施例では、モニターと人工呼吸器の仮想図１３２、１３４がこれら装置のユーザインターフェイス（すなわち入力及び出力部分）の外観や雰囲気を再現しており、実際の装置に表示される数字の少なくとも一部が表示され、モジュール１４によって各ＭＤＡ３０からのデータが受信されるたびに刻々と更新される。さらにこの実施例では、病院用ベッドの仮想図１３０は、様々なベッド位置（例えば、サイドレールの上下、ヘッド部分の昇降、上部フレームの昇降等）を再現するベッド全体の外観図である。例えば、ディスプレイ６０に、局所データ収集モジュールが少なくとも一部のデータ通信モジュールから受信したデータ情報を、病院用ベッドデータと同時に表示するように実施しうることは理解されるであろう。そのようなデータはディスプレイ６０の仮想図とは別の部分に表示することができる。
【００５５】
本開示では、ディスプレイ６０はタッチスクリーンディスプレイであると考える。医療従事者は、仮想図１３０、１３２、１３４のどれかをタッチして関連した患者医療装置についての追加情報を見ることができる。例えば、医療従事者が図４に示される画面１２９の病院用ベッド仮想図１３０をタッチすると、コントローラ１６はそれに対応して、図５に示すようにベッドの各部の位置に関する情報を持つ表１３６を含むベッド画面１３５を表示する。例示的な実施例では、表１３６にはベッドの高さ（すなわち病院用ベッドの上側フレームの下側フレーム又は床面に対する高さ）、トレンデレンブルグ角度（すなわちベッド上側フレームの水平又はベースフレームに対する傾斜角度）、病院用ベッド寝台面の曲折可能な頭、膝、足部分の角度位置、及び足部分を延伸した長さが含まれる。また、例示的な実施例では、ボックス１３８は画面１３５上に設けられ、病院用ベッドの体重計システムが測定した患者の体重を表示する。画面１３５には第１及び第２ボックス１４０、１４２が設けられ、ヘッドレールとフットレール（例えば各サイドレールなど）の位置を示している。例示的な実施例では、ヘッドレールは上がっており、フットレールは下がっている。
【００５６】
医療従事者が図４の画面１２９でモニター図１３４をタッチすると、コントローラ１６はそれに対応して例えば図６に示すモニター画面１４４をディスプレイ６０に表示する。画面１４４には、実際のモニターに表示されるデータに対応する値を表示する多くのデータボックス１４８を含む拡大図１４６が表示される。実際のモニター上のＬＥＤ状態表示を示す各図１５０が、拡大図１４６の該当位置で画面１４４上に表示される。例示的な実施例では、図１４６の１５４部分に単に再現するだけでは小さすぎる関連データを拡大して表１５２として医療従事者に提供している。画面１４４には、１分間のタイムチャートまたはグラフ１５６も表示される。医療従事者が実際のモニターを操作して１分間タイムチャートを表示させると、それに対応するチャートが画面１４４のグラフ１５６に作成される。色分けされたキー１５８が画面１４４のグラフ１５６の下に設けられることによって、グラフ１５６が描画されたときに医療従事者がどの生理学的パラメータがどの線に対応しているかを理解できるようにしている。図６の画面１４４は、医療従事者が実際の関連装置１２で見慣れているのと基本的に同一の形式や配置でデータを表示している一例である。
【００５７】
医療従事者が図４の画面１２９で人工呼吸器図１３２をタッチすると、コントローラ１６はそれに対応して例えば図７に示す人工呼吸器画面１６０をディスプレイ６０に表示する。例示的な実施例では、画面１２９の図１３２は、画面１６０でも同じ大きさでそのまま表示される。しかし、画面１６０では表１６２が設けられる。表１６２の上部領域１６４には主要データが表示される。領域１６４の主要データは、実際の人工呼吸器がユーザに提示するのと同じデータだが、別の形式及び／又は配置で表示される。したがって、ユーザがコントローラ１６をプログラミングして装置１２からのデータを実際の装置に表示されるよりも好みの方法で表示することは、本開示の範囲内である。また、別の製造業者の同様の装置から受信される主要情報を同じ外観や雰囲気でディスプレイ６０に表示することもできる。したがって、モジュール１４のコントローラ１６を適切にプログラムすると、データが類似の種類の様々な装置（例えば、別々の製造業者による様々な人工呼吸器）からモジュール１４に提供されていても、医療従事者はより一貫性のある方法でデータを受け取ることができる。
【００５８】
表１６２は、この場合人工呼吸器である関連装置１２で発生する警報条件の一覧を表示する下部領域１６６をさらに有している。各ＬＥＤ状態表示図１６８が、表１６２の領域１６６に一覧表示されている警報条件の横にそれぞれ設けられる。表１６２の警報一覧は、場合によって実際の装置１２の類似の表を再現するものであり、その他の場合には医療従事者にとってより分かりやすい警報一覧を設けるよう独自にプログラムを組むことができる。そのような独自のプログラミングを使用することによって、類似の種類の様々な装置からデータを取得する場合、医療従事者にとってより一貫性のある形式で警報一覧を提供できる。各ＬＥＤ状態表示図１６８は、警報が発生していない場合は緑、警報の予告は黄色、警報発生時には赤で表示することができる。実際の装置では、システム１０のディスプレイ６０に示すような方法で警報条件を示さないこともあることに留意すべきである。したがって、各ユーザは、同じ情報が実際の装置１２に提示されるよりも医療従事者にとって好ましい形式及び／又は方法で警報条件データを提示するようにシステム１０をプログラムできる。
【００５９】
再度図２を参照すると、図示の各ＭＤＡ３０にはデータフィルター６６が備わっており、関連患者医療装置１２から継続して受信するパケットが以前受信したパケットと同一の場合、そのパケットを局所データ収集モジュール１４に転送しないようデータにフィルターをかけることができる。この方法により、すでに局所データ収集モジュール１４に送信された情報を再送することによって不要な帯域の使用が低減される。データフィルター６６は、ソフトウェア及び／又はハードウェアで実現できる。例えば、送信機３８で送信されたパケットをモジュール３０のメモリにコピーしておき、コントローラ３８がそれ以降のパケットをメモリに保存したパケットと比較するソフトウェアルーチンを実行することができる。幾つかの実施形態においては、データフィルター６６は省略され、フィルター６６がないＭＤＡ３０は関連装置１２から受信したデータを単に送信する。各ＭＤＡ３０のうちの一つと局所データ収集モジュール１４間で通信が失われた場合、ＭＤＡ３０はそれぞれの患者医療装置からの受信データをバッファメモリに保存し、通信が再開した後に局所データ収集モジュール１４に送信することができる。
【００６０】
上述のように、各ＭＤＡ３０には位置検出装置５０が備わっており、位置検出装置５０はＭＤＡ３０の位置、すなわち医療施設における関連する患者医療装置１２の位置を特定するのに使用される少なくとも一つの信号を送信又は受信する。位置検出装置５０は、ＭＤＡ３０に連結されるか或いは組み込むことができる。したがって、位置検出装置５０はモジュール３０の筐体に取り付けられる位置タグでもよい。位置検出装置５０は、上述したようにコントローラ３２と連結する回路を備えることができる。
【００６１】
ＭＤＡ３０の送信機３８は、本願明細書で検討される幾つかの実施形態においてコントローラ３０に連結された送信機の一部として含まれる。したがって、ＭＤＡ３０は、コントローラ３２と連結する受信機をさらに備え、無線信号を受信することができる。幾つかの実施形態では、前述したように、ＭＤＡの位置検出装置５０に超音波受信機５２が備わっている。コントローラ３２は、回路３８の受信機の無線位置信号受信と超音波受信機５２の超音波信号受信の時間差を特定するようプログラムされる。この時間差は、例えば、無線信号の受信時に開始され、超音波信号の受信時に停止されるタイマーを使うか、無線信号受信時刻及び超音波信号の受信時刻をメモリに記録し、時刻の差を計算することで特定できる。無線位置信号の受信と超音波信号の受信との間で発振器のクロックパルスを数えるなどの時間差を特定する他の方法も本開示の範囲内である。時間差は、場合によって飛行時間（ＴＯＦ）と呼ばれ、無線位置信号及び超音波信号の受信時刻は場合によって到着時刻（ＴＯＡ）と呼ばれることがある。
【００６２】
使用する技術に関らず、コントローラ３２が無線位置信号と超音波信号の受信時間差を一度特定すると、コントローラ３２はモジュール１４又はイーサネット２４に連結する位置検出及び追跡システムに関連する装置などの他の装置に、無線信号の一部として時間差を送信する。代替的或いは追加的に、コントローラ３２は、時間差に基づき距離を計算するよう設定することができる。計算される距離は、ＭＤＡ３０が無線位置信号と超音波信号の発信源を収容するビーコンモジュールからどれだけ離れているかを特定するものである。ビーコンモジュールについてはさらに詳しく以下に説明する。ＭＤＡ３０が時間差を送信する一部の実施形態では、モジュール１４又はその他のコンピュータ装置等の受信装置が時間差に基づいて距離を計算する。
【００６３】
図３に概略的に示されるように、同一の病室にはしばしば２台の患者ベッド４０（図３では４０Ａ及び４０Ｂと指定されている）が設置される。したがって、ベッド４０Ａ上の第１患者に関連付けられる各装置１２の各モジュール３０からの無線送信はベッド４０Ｂのモジュール１４で受信され、ベッド４０Ｂ上の第２患者に関連付けられる各装置１２の各モジュール３０からの無線送信はベッド４０Ａのモジュール１４で受信される可能性がある。それに応じて、医療従事者が各患者に関連する装置１２に多くのコンピュータデータ入力をしないで済むよう、本開示では様々な装置から患者（或いは装置からベッド）への関連付け方法を検討する。
【００６４】
本開示によると、病室１００における複数の装置１２を室内の第１患者（ベッド４０Ａ上の患者）或いは室内の第２患者（ベッド４０Ｂ上の患者）に関連付ける方法が提供される。前述のように、ＭＤＡ３０の位置検出装置５０とコントローラ３２の組み合わせにより、無線位置信号及び超音波位置信号の受信時の時間差を特定できる。各無線信号はほぼ光の速度で伝播するため、それらの信号は発信とほぼ同時にＭＤＡ３０で受信されるが、各超音波信号はミリ秒当たり約１フィートという音の速度で伝播する。図示の実施例では、本願明細書でビーコンモジュール１１０と称されている無線／超音波の組み合わせ送信機１１０は、それぞれの頭壁１０１及び１０２に取り付けられており、無線位置信号及び超音波位置信号が送信される。各装置１１０は、病室１０の壁面又は室内の別の構造物など、別の場所に取り付けることもできる。
【００６５】
無線信号と超音波の位置信号の時間差が特定可能であるため、各ＭＤＡ３０と無線及び超音波信号の発信地点（本願明細書において「参照地点」と呼ぶが、信号発信地とは異なる地点が指定され数学的に特定されて、本願明細書における「参照地点」とみなすこともある）間の距離を関連付けコンピュータによって特定することができる。関連付けコンピュータは、モジュール１４、又は位置検出及び追跡システム７０、或いは必要に応じてその他のコンピュータであってもよい。したがって、関連付けコンピュータは複数の装置１２のそれぞれの装置１２について、ビーコンモジュール１１０と装置１２に取り付けられたＭＤＡ３０間の距離に基づき、第１患者に関連付けられた第１参照地点からの距離及び第２患者に関連付けられた第２参照地点からの距離を特定するよう動作させることができる。
【００６６】
関連付けコンピュータは、例えば、第１参照地点から第１の所定距離（例えば５又は６フィート前後等）内にあるすべての装置を第１患者に関連付け、第２参照地点から第２の所定距離内にあるすべての装置を第２患者に関連付けるようプログラムすることができる。第１及び第２の所定距離は、実質的に同等距離又は異なった距離であってもよい。図３の例示的な実施例において、病室の長さ（Ｌ）が２４フィートであって、そのうち１２フィートはベッド４０Ａが占める空間に関連付けられ、残りの１２フィートはベッド４０Ｂが占める空間に関連付けられる場合、第１と第２参照地点（例えば、それぞれの頭壁１０１及び１０２に取り付けられた各ビーコンモジュール１１０で定義された場所）がそれぞれの空間の真ん中に位置していると仮定すると、関連付けコンピュータはビーコンモジュール１１０から１２フィート以内のすべての装置はその特定の場所、ベッド、及び／又は患者に関連付けられるようにプログラムできる。非対称やその他の変形した病室では、自動的な関連付けに使われる距離の閾値を互いに異ならせることができる。
【００６７】
局所データ収集モジュール１４がベッド４０に連結される複数の実施形態では、ベッドリスナーモジュール（ＢＬＭ）３１がベッド４０に連結され、ＭＤＡに関して上記に説明されたのと同様の方法で、ビーコンモジュール１１０からの無線位置信号及び超音波信号を受信し、無線と超音波位置信号の受信時間差を特定し、及び／又はビーコンモジュール１１０とＢＬＭ３１間の距離を特定することができる。係る実施形態では、ＢＬＭ３１は、有線でモジュール１４に接続することができる。ＢＬＭ３１の回路は、ＭＤＡ３０の回路と同様であるが、ベッド４０からのデータはすでにモジュール４０に有線でベッド回路から送信されているため、ＭＤＡ３０にあるハードウェア及びソフトウェアの一部はＢＬＭ３１では省かれている。モジュール４０が室内の壁面や頭壁などに設置され、ベッドから離れている実施形態では、ＭＤＡ３０はベッド４０に取り付けられ、ベッドのデータは関連付けられたＭＤＡ３０によって、その他の装置１２と同様に取り扱われる。本開示が検討する幾つかの実施形態では、さらにＢＬＭ３１は無線エネルギーをスキャンしてモジュール又はベッドハブ１４が通信に使用する最適なチャネルを決定するよう構成される。
【００６８】
各装置１２を患者（或いはベッド或いは場所）に自動的に関連付けようと試みるアルゴリズムを実行した後でも、装置１２を特定の患者に（直接、又は装置１２をベッド４０又は医療施設内の場所に関連付けることによって）関連付けるために何らかの方法で解決しなければならない曖昧な点がある可能性がある。例えば、病室内の２台の類似の装置１２が両方とも上記の距離閾値よりも遠くに位置していたり、両方とも閾値内であったりする場合、当該曖昧な点は、距離の値に関らず、類似の装置１２について、第１参照地点に最も近い装置１２を第１患者に関連付け、第２参照地点に最も近い第２の類似装置１２を第２患者に関連付けることで解決することができる。例えば、図３において、「装置２」及び「装置４」は頭壁１０１の送信機１１０から６フィート以上離れており、「装置６」及び「装置８」は頭壁１０２の送信機１１０から６フィート以上離れている。
【００６９】
どの患者医療装置１２がどの患者に関連付けられるかに関しての曖昧性については、関連付けコンピュータによって遠隔コンピュータからイーサネット２４経由でデータを取得し、その遠隔コンピュータから取得したデータに基づき曖昧性を解決することも考えられる。遠隔コンピュータは、例えば電子カルテ（ＥＭＲ）システム７２及び／又は入退転院（ＡＤＴ）システム７４の一部であってもよい。遠隔コンピュータは、ワークフローシステム７６又はナースコールシステム７８、又はその他医療施設におけるどのコンピュータシステムの一部であってもよい。例えば、ＥＭＲ及び／又はＡＤＴシステムが、病室内の第１患者が膝置換手術を受け、第２患者が心臓発作を起こしたことを示す場合、関連付けコンピュータはこのデータを使い、受動運動機器を第１患者に、ＥＫＧを第２患者に関連付けることができる。
【００７０】
複数の装置１２のうち少なくとも１台の装置１２を第１患者又は第２患者に関連付けるべきかに曖昧な点がある場合、ディスプレイ６０又は関連付けコンピュータの画面（モジュール１４が関連付けコンピュータとして使用されていない場合）にそれを解決する情報をユーザに求める表示を行うことができる。ユーザは、例えば適切な場所に必要な情報を入力するか、タッチスクリーンをタッチするか、或いはその他のデータ入力方法によって当該曖昧な点を解決する。
【００７１】
ＭＤＡ３０を備える関連装置１２を特定のベッド４０又は病室の場所へ関連付ける処理の間、ＭＤＡ３０備える装置１２は、ビーコンモジュール１１０の関連フィールド（関連クラウドと呼ばれることもある）に移動する。装置１２とＭＤＡ３０が関連付けられると、それらは関連フィールドに残る必要はなくなるが、ＭＤＡ３０がメッシュネットワークを構築するすることができない場合、モジュール１４の通信範囲に残る必要があり、この場合、各ＭＤＡ３０のうち１台だけがハブ１４の通信距離内に残る必要がある。関連付けが行われた後、モジュール又はベッドハブ１４はＭＤＡ３０と通信し、ＭＤＡ３０に連結された特定の種類の医療装置１２を認識し、適切なデバイスドライバソフトウェア及びプロトコルを読み込む。
【００７２】
本開示では、ディスプレイ６０は医療従事者が装着する眼鏡又はゴーグルに一体化されたヘッドアップ表示システム内に組み込むことができることを検討する。また、モジュール１４で受信されるデータ及びそのデータに基づいて決定されるすべての警報条件又は通知条件を、通信システム８０経由で担当医療従事者が携帯する携帯無線通信装置に送信できることも検討する。そのような携帯通信装置には、例えば、ごく一部ではあるものの、ＰＤＡ、Ｖｏｃｅｒａ（登録商標）バッジ、ＡＳＣＯＭ（登録商標）ハンドセット、Ｓｐｅｃｔｒａｌｉｎｋ（登録商標）ハンドセットなどが含まれる。Ｖｏｃｅｒａ（登録商標）バッジ、ＡＳＣＯＭ（登録商標）ハンドセット又はＳｐｅｃｔｒａｌｉｎｋ（登録商標）ハンドセットに関連する通信システム８０の更なる詳細及びこれらに対する警報及び通知の送信については、米国特許第７,３１９,３８６号を参照し、その内容を本願明細書に参照により援用する。
【００７３】
図９では、システム１０に類似のシステム２００を概略的に示している。システム２００とシステム１０は類似しているため、対応する類似部分に類似の参照番号が使用されている。局所データ収集モジュール１４及びベッド４０に取り付けられるディスプレイ６０を備えるシステム１０と異なり、システム２００には病室の頭壁に設置される局所データ収集モジュール及びディスプレイの組み合わせを備えており、ブロック１４６０に概略的に示されている。局所データ収集モジュール及びディスプレイの組み合わせは、本願明細書では、「ウォールハブ１４６０」として参照する。一実施形態では、ウォールハブ１４６０はバージニア州リッチモンドのＴｒｉｄｉｕｍ社から入手可能なＪＡＣＥ２７００である。図９では、ベッド４０上の患者２０２及び、患者２０２と多くの医療装置１２を接続する多数の線２０４が概略的に示されている。したがって、各線２０４は医療施設において患者治療に関して使用される多くの監視用リード線及び治療用供給管を例示している。
【００７４】
ウォールハブ１４６０は装置１２と連結されるＭＤＡから無線データ信号を受信し、ＭＤＡ３０のドライバ及び患者のバックアップデータを保存する。ウォールハブ１４６０のメモリに保存されたドライバは、ＭＤＡ３０が連結される各医療装置１２用に書かれたカスタムソフトウェアモジュールで、各装置１２の有効データを定義する規則を含む。したがって、ドライバは、ウォールハブ１４６０と医療装置１２及び／又はウォールハブ１４６０とＥＭＲシステム７２及びＡＤＴシステム７４等のその他のシステム間で通信を可能にするために実行しなければならないすべてのプロトコル変換に使われる。
【００７５】
一実施形態において、ウォールハブ１４６０が特定の装置１２と通信を確立することに関連して、ウォールハブ１４６０はこの特定の装置１２から型式番号又は装置種別番号又はその他の識別情報データを受信することで、装置１２種別を特定することができる。ウォールハブ１４６０は、その特定の装置種別に対するデバイスドライバソフトウェアがメモリに保存されているかを判断する。ウォールハブ１４６０がその特定の装置１２のデバイスドライバソフトウェアを保持していない場合、ウォールハブ１４６０は、本開示によれば、医療施設に存在してウォールハブ１４６０との通信を指定された各種装置１２用のデバイスドライバソフトウェアライブラリを備えるハブサーバー２０６にデバイスドライバソフトウェアを要求する。ハブサーバー２０６は、その後要求されたデバイスドライバソフトウェアを保存及び使用のためにウォールハブ１４６０に送信することでその要求に応える。デバイスドライバソフトウェアを使用する場合、ウォールハブ１４６０はドライバ情報を使って医療データが通信されていることとデータが有効であることを判断し、ウォールハブ１４６０のディスプレイに装置情報を表示する。ウォールハブ１４６０がハブサーバー２０６と通信してデバイスドライバソフトウェアを取得する方法に関する前記説明は、幾つかの実施形態において、モジュール１４に通信用に連結されるディスプレイ６０上にデータを表示させることも含めてモジュール１４に適用可能である。
【００７６】
多くの医療装置１２からＭＤＡ３０経由でウォールハブ１４６０により収集されるデータは、ＥＭＲシステム７２に伝送され、患者の電子カルテに自動的に入力される。様々な医療装置１２と各装置１２によって監視又は各装置１２から治療を受けている患者との関連付けに関連して、ウォールハブ１４６０はＡＤＴシステム７４から情報を受信する。図９の例示的な実施例では、ＡＤＴシステム７４からの情報は、システム管理及び生物医学的設定のためのディスプレイ付きサーバーを含むハブスーパーバイザー２０６を経由して伝達される。ＡＤＴシステム７４からウォールハブ１４６０が受信する情報には、例えば、ウォールハブ１４６０が設置されている特定の病室に割り当てられた患者名を含む。
【００７７】
前述の例示的な実施例において装置１２から取得された広範な各種局所的データをディスプレイ６０に表示し、警報条件が一つ以上の装置１２に示される場合に警報機能を設けるようにプログラム及び構成されているシステム１０とは異なり、システム２００の主な目的はウォールハブ１４６０との通信によって装置１２からデータを取得し、そのデータをＥＭＲシステム７２に送信して、少なくとも取得したデータの一部をその患者の電子カルテに自動的に保存することにある。したがって、システム２００では医療従事者が手動で装置１２からのデータを書き込み又は電子チャートに入力する必要を低減あるいは全く不要にするので、医療従事者の全体的な効率を向上させる。
【００７８】
図１０〜１５は、システム２００の動作に伴いウォールハブ１４６０のディスプレイに表示されるスクリーンショットの実施例を示している。図１０を参照すると、病室番号フィールド２０８が左上部分に設けられており、ウォールハブが存在する病室の番号が表示される。図１０の実施例では、「３２号室」がフィールド２０８に表示されている。図１０のスクリーンショットには、画面の右上部分に名前フィールド２１０もあり、患者名が表示される領域となっている。図１０の実施例では、「空室」がフィールド２１０に表示されており、病室に患者が割り当てられていないことを示している。図１０のスクリーンショットには、「装置」の表題２１４の下にフィールド２１２もあるが、空白となっており、図９のシステムでウォールハブ１４６０と患者医療装置１２間で無線通信が行われていないことを示している。
【００７９】
病室に患者が割り当てられると、図１１に示すように、患者名がフィールド２１０にＨＩＰＡＡに適合した形式で表示される。さらに、医療装置１２がウォールハブ１４６０との通信を確立すると、医療装置の名前が装置表題２１４の下のフィールド２１２に記載される。図１１の例示的な実施例では、Ｐｈｉｌｉｐｓ ＩｎｔｅｌｌｉＶｕｅ ＭＰ６０及びＧＥ Ｄｉｎａｍａｐ ３００Ｖ２がウォールハブ１４６０と通信している。フィールド２１２の各装置名の横には状態ボックス２１６が表示される。状態ボックス２１６は、特定のイベントが発生していることを示す特定の色が塗られている。例えば、図１２において、ＧＥ Ｄｉｎａｍａｐ ３００Ｖ２の横にある状態ボックス２１６は斜線が施され、あるイベントが発生中であることを示している。
【００８０】
本開示では、状態ボックス２１６における緑色はウォールハブが関連装置からデータ受信中であることを意味し、状態ボックスの黄色は何らかの通信障害が発生中であることを示していると考える。幾つかの実施形態において、状態ボックス２１６は赤となり、何らかの警報が発生しているか、または関連する医療装置１２が警報を検出したことを示している。しかし、例示的な実施例では、システム２００は何も警報を示さないよう設定されており、警報を発生する医療システムに適用される食品医薬品局（ＦＤＡ）の一定の要件の対象となることを回避している。したがって、システム２００は、患者データと医療装置データとを患者モニター機器から取得し、そのデータをデータが保存される患者の電子カルテに送信する無警報システムとなるようプログラムされる。
【００８１】
図１３に示すように、病室の装置１２とウォールハブ１４６０間の通信が完全に途絶えた場合、ポップアップ画面２１８がハブ１４６０のディスプレイに表示され、「ハブとの接続が切断されました」メッセージが示される。ユーザはポップアップ画面２１８のＯＫボタン２２０或いはクローズボックス２２０をタッチ或いは選択することによりポップアップ画面を閉じることができる。ウォールハブ１４６０が関連遠隔サーバー２０６と通信できなくなる場合、図１３に示すように、「病室のデータサーバーとの接続が切断されました」メッセージを示すポップアップ画面２２４がハブ１４６０のディスプレイに表示される。幾つかの実施形態では、サーバー２０６への接続が切断されると、ハブ１４６０は装置１２からの入力データをサーバー２０６との通信が再開するまで保存して、それから保存されたデータを送信する。画面２１８の場合と同様、画面２２４にはＯＫボタン２２０とクローズボックス２２２が表示され、ユーザは画面２２４を閉じることができる。
【００８２】
図１０〜１５に示すように、ウォールハブ１４６０の表示には「全装置の関連付けを解除」ボタン又はアイコン２２６が備わっている。ボタン２２６をタッチするか選択して、装置１２からウォールハブ１４６０によるデータ収集を停止する。例えば、患者が退院した場合や、もう装置１２を必要としなくなった場合に、ボタン２２６を押すことができる。ボタン２２６を選択した結果、「患者とすべての装置の関連付けを解除しますか」のメッセージを示すポップアップ画面２２８がハブ１４６０のディスプレイに表示される。ユーザは、「ＯＫ」ボタン２３０を選択して全装置がハブ１４６０の関連付けから解除されることを確認する。これによって、ハブ１４６０は装置１２からのデータを受信できなくなり、及び／又は患者の電子カルテにデータを送信することができなくなる。ユーザはＮＯボタン２３２、又はクローズボックス２２２を選択して関連付け解除を中断することができる。画面２２８で、ボタン２３２又はボックス２２２が選択されると、ハブ１４６０はデータ収集及び通信機能を実行し続ける。
【００８３】
次に図１６及び図１７に示すように、ＭＤＡ３０の例示的な実施形態は取り付けブラケット２３０に取り付けることができ、同様に、各装置１２に連結可能となる。図１６〜２１に示すように、ＭＤＡ３０には前面２３４、一対の側面２３６、上面２３８、底面２４０及び背面２４２を備える筐体２３２が含まれる。ブラケット２３０は、図１７で明確に示されるように、一対の側面２４４及びこれら側面２４４を連結する背面２４６で構成される。ブラケット２３０の背面２４６にはその中央部分にヒルーロム頭壁レールマウント又はヒルーロム点滴スタンド用ポールマウントと互換性がある形状の四つの穴２４７が開いている。ブラケット２４４は、数例を挙げると、クランプ、マジックテープ（例えばＶＥＬＣＲＯ（登録商標）ファースナー）、接着剤等の適切な結合手段で医療装置１２に取り付ける。
【００８４】
本開示では、ＭＤＡ３０は標準のＡＣコンセントに差し込む電源アダプタに取り付けできる。すなわち、ＭＤＡ３０は電源アダプタに取り付けられ、そこから電源を供給される。ＭＤＡからはケーブルを使って関連装置１２の該当するデータポートに接続する。そのようなＭＤＡ用電源アダプタには関連医療装置１２を差し込む余分のコンセントを含めることができ、その場合は、係る電源アダプタを壁のコンセントに差し込んで、アダプタに装置１２及びＭＤＡ３０を差し込む。幾つかの実施形態では、電源アダプタは点滴スタンドのポール等のポールに取り付けるように構成されており、別の実施形態では電源アダプタはベッド４０の別の部分又は壁面或いは頭壁に取り付けられるようになっている。電源アダプタには標準ＡＣコンセントに差し込める電源コードが備わっている。
【００８５】
ブラケット２３０の側面２４４のそれぞれにはブラケット２３０の上端と下端のほぼ中間に穴２４８が開いている。筐体２３２の側面２３６には両側とも開口部２５０が備わっている。ＭＤＡ３０をブラケット２３０の側面２４４の間に収めると、開口部２５０は穴２４８に揃う。図１６に示すように、ＭＤＡ３０をブラケット２３０に固定するため一対のノブ２５２が設けられる。ノブ２５２の一部を穴２４８及び開口部２５０に差し込む。ノブ２５２を緩めると、ＭＤＡ３０は、各穴２４８及び各開口部２５０通る軸を中心にブラケット２３０に対して回動できる。従って、筐体２３２の背面２４２とブラケット２３０の背面２４６の間には空間が設けられており、ＭＤＡ３０がブラケット２３０に対して回動できるようになっている。ＭＤＡ３０を所望の方向に向けると、各ノブ２５２が締められ、ＭＤＡ３０をブラケット２３０に対して固定する。幾つかの実施形態では、開口部２５０はノブ２５２のネジ部分を受容するようネジ山が刻まれている。その他の実施形態では、開口部２５０に近接する筐体２３２の内側部分にネジ穴を備えたナットが設けられ、ノブ２５２のネジ部分を受容する。
【００８６】
前面２３４には中央部分にスリット２５６が入った僅かに球面状の円盤２５４が備わっている。ＭＤＡ３０の超音波受信機（図３に要素５２として概略的に示された）が円盤２５４の背後に備えられている。円盤２５４の下には、一対の発光ダイオード（ＬＥＤ）２５８が備わり、そのうちの一つは状態表示として、もう一つは低バッテリー表示として使用される。例えば、ＬＥＤ２５８の一つはデータの取得中及び／又は送信中に緑で点灯することができる。もう一つのＬＥＤ２５８は低バッテリー時に黄色で点灯することができる。適切な文字又は記号がそれぞれの機能を示すために各ＬＥＤ２５８に近接して表示される。
【００８７】
ＭＤＡ３０には、ＬＥＤ２５８の下に一対のボタン２６０も備えられる。ボタン２６０の一つは、関連医療装置からの患者データ値を確定するために医療従事者が押す「確認」ボタンとしての役割を果たす。ＭＤＡ３０によって送信される自動的な無線データに比べ、確認された読み出しは、医療従事者がその場で医療装置１２が正しく動作していること及び患者に装置１２が正しく装着されていることを確認できるため、より信頼性が高いとみなされるべきである。幾つかの実施形態では、「確認」ボタンを押すことはデータ取得ボタンとして機能し、医療従事者は自身の判断で適切なときにＭＤＡ３０からベッドハブ１４又はウォールハブ１４６０にデータを送信することができる。もう一つのボタン２６０は、「切断」ボタンとして機能し、患者に関連付けられた一連の医療装置１２から各医療装置１２を除去する場合に押される。適切な文字又は記号が、それぞれの機能を示すようボタン２６０上又はそれに近接して表示される。ボタン２６０は、幾つかの実施形態においては薄膜スイッチである。
【００８８】
ＭＤＡ３０は、下に旋回又は押し下げられるアクセスパネル又はドア２６２を有する。パネル２６２は、図１６〜１８に示す閉じられた位置と図１９及び２１に示す開いた位置の間で移動可能である。パネル２６２が開いた位置にある場合、図１９に示すように、ＲＳ−２３２ポート２６４及び一連のユーザ入力２６６が見える状態になる。ポート２６４は、適切なコネクタケーブルによって関連医療装置１２に接続される。幾つかの実施形態では、ポート２６４は図示されるＲＳ−２３２ポートの代わりにユニバーサルシリアルバス（ＵＳＢ）ポートとなる。ポート２６４は、ＭＤＡ３０の回路に対しプログラム及び設定のためのアクセスを提供する。したがって、別のコンピュータ装置をポート２６４に接続してＭＤＡ３０のソフトウェアの設定やプログラムが可能である。ユーザ入力２６６には電源ボタン、リセットボタン及びプログラムと設定ボタンが含まれる。幾つかの実施形態では、パネル２６２が閉じられた状態でＭＤＡ３０が装置１２に電気的に接続可能となるように、図２１に点線で示される追加ポート２６８が設けられる。
【００８９】
ＭＤＡ３０は、１５.５ＶＤＣのコンセント給電又は充電可能バッテリーによる給電の設定が可能である。筐体２３２の両側面２３６の片側に１５.５ＶＤＣ電源コードを接続するポート２６９が備えられる。充電可能バッテリーは、短時間（最長１２時間）の電力を供給するので、停電時のＭＤＡ３０動作、或いは装置１２が可搬型であり、患者が医療施設内で一つ或いはそれ以上の装置１２を装着したまま一つの場所から他の場所へと移動する場合の使用に適している。バッテリー蓋２７０はＭＤＡ３０の背面に備えられ、バッテリー交換時には取り外すことができる。幾つかの実施形態では、ＭＤＡ３０には小容量の工場で交換できるバックアップ用バッテリーが備えられ、大容量バッテリーが取り外された場合にＭＤＡ３０を動作させる。ユーザ入力２６６のオン／オフボタンによって、長時間ＭＤＡ３０を使わない場合にＭＤＡ３０の電源を切断することができる。
【００９０】
次に図２２〜２４を参照すると、ビーコンモジュール１１０の例示的な実施形態が取り付けブラケット２７０に取り付けられ、ブラケットは医療施設の病室における壁面又は頭壁に取り付けられる。図２２〜２４に示すように、ビーコンモジュール１１０には前面２７４、一対の側面２７６、上面２７８、底面２８０及び背面２８２を備える筐体２７２が含まれる。図２３で明示されるように、ブラケット２７０は上面２８４、底面２８６、及び２８４と２８６を連結する背面２８８で構成される。ブラケット２７０には、面２８４、２８６、２８８と連結される一対の比較的小さな側面２９０も備わっている。
【００９１】
ブラケット２７０の背面２８８の反対側は、両側にそれぞれ上面２８４にほぼ垂直の形状となる第１壁部２９２と、その壁部２９２から角度をつけて底面２８６に伸びる第２壁部２９４とを有する。ブラケット２７０の両側にある壁部２９２、２９４にはそれぞれ取り付け穴２９６が備えられている。ネジなどの適切な固定部品を使い、穴２９６を通してブラケット２７０を壁面、頭壁、又は医療施設の病室内の適切な構造体に取り付ける。壁部２９４は、ビーコンモジュールを比較的高い場所、例えば床から６フィート以上に取り付ける場合、ブラケット２７０を約４５度下方に傾け、壁部２９４を垂直の壁面又は他の面に当てて取り付けることができるように設けられる。当然ながら、ブラケット２７０はブラケット２７０を取り付ける先の壁に対して、壁部２９２を垂直面に当てて取り付けることで、傾けずに取り付けることもできる。従って、ブラケット２７０を取り付ける向きによって、ネジは壁部２９２の穴２９６又は壁部２９４の穴２９６のいずれかを通して使う。
【００９２】
図２２及び２３に示すように、ビーコンモジュール１１０の前面２７４には、中央部分にスリット３００が入った僅かに球面状の円盤２９８が備わっている。モジュール１１０の超音波送信機が、筐体２７２の内部、円盤２９８の背後に備えられている。図示の例では、モジュール１１０は８０２．１５．４プロトコル（すなわちジグビープロトコル）による無線信号及び超音波信号を送信するよう構成されている。モジュール１１０には、前面２７４の上側の隅に発光ダイオード（ＬＥＤ）３０２も備えられている。ＬＥＤ３０２は状態表示器としての役割を果たす。例えば、ＬＥＤ３０２の一つはビーコンモジュール１１０によって無線及び超音波信号が送信中に緑で点灯することができる。もう一つのＬＥＤ３０２は、モジュール１１０の回路内で障害が検出された場合に、黄色で点灯することができる。適切な文字又は記号がそれぞれの機能を示すようにＬＥＤ３０２に近接して表示される。
【００９３】
図２４に示すように、モジュール１１０の筐体２７２の底面２８０には、ＲＳ−２３２ポート３０４、一連のユーザ入力３０６、及び一対の電源接続ポート３０８が備わっている。ポート３０４によって、モジュール１１０回路のプログラム及び設定を行うための外部コンピュータ装置との接続が設けられる。ユーザ入力３０６には、デフォルト構成の復旧ボタン、リセットボタン、及びプログラムモードボタンが含まれる。モジュール１１０は、１５.５ボルトの直流壁面コンセント電源よって電力を供給されるように構成され、幾つかの実施形態では、ポート３０８は標準の電源同軸ジャックを備える。他の実施例では、ポート３０８はその他の形式のコネクタにより１５.５ボルトの直流電源に接続される。病室で第２モジュール１１０を使用する場合には、二つのポート３０８が設けられ、その場合の電源は１台のビーコンモジュール１１０から次のビーコンモジュールへと適切な電源コードを使用して、デイジーチェーン接続される。つまり、一つのポート３０８は電源入力ポートで、もう一つのポート３０８は電源出力ポートである。モジュール１１０は、壁面又は頭壁に取り付けられたディスプレイ６０、ウォールハブ１４６０、又は標準電源コンセントから電源入力ポート３０８で電源を入力することができる。
【００９４】
ポート３０４、３０８及びユーザ入力３０６は、モジュール１１０がブラケット２７０に取り付けられると外側から隠される。ただし、ポート３０８は他の底面２８０に対してモジュール１１０の内部に向けて相対的に凹んでおり、ポート３０８の一つ又は両方に電源コネクタを接続するための十分な空間が確保されている。ブラケット２７０には背面２８８に大きな開口部３１０があり、電源コードを通すことができるようになっている。背面２８８には、一対のコード巻取りタブ３１２が成形され、必要に応じて電源コードの１本又は両方の余剰部分を巻き付けることができる。各ビーコンモジュール１１０は、ハブサーバー２０６のデータベース等のデータベースでそれが設置されている病室にリンクされている。二つ以上のベッドが設置されている病室では、ビーコンモジュール１１０はデータベースで病室の一部分にだけリンクされることがある（特定の病室のベッドＡが設置される部分、又はベッドＢが設置される部分等）。
【００９５】
ウォールハブ１４６０の一つの実施例を図２５に示す。ハブ１４６０は、前面３１６、一対の側面３１８、底面３２０及び上面３２２を含む筐体３１４を有している。ハブ１４６０の背面（不図示）には、ハブ１４６０を壁、頭壁、又は他の適切な取り付け面に取り付けるための３穴パターンが設けられている。局所データ収集モジュール１４とディスプレイ６０がウォールハブ１４６０に一体化される実施例では、モジュール１４の回路は筐体３１４内に包含されている。局所データ収集モジュール１４が病院用ベッド４０に取り付けられている場合など、モジュール１４とディスプレイ６０が分離している実施例では、モジュール１４の回路は筐体３１４から省かれる。前面３１６には大きな長方形の開口部３２４が設けられており、ここからタッチスクリーン３２６の表示とアクセスができる。図２５に示すように、ＷｉＦｉアンテナ３２８が側面３１８の片側に取り付けられている。モジュール１４が病院用ベッド４０に取り付けられている実施例では、アンテナ３２８によって、８０２．１１無線信号をモジュール１４から受信する。モジュール１４の回路が筐体３１４に組み込まれてウォールハブ１４６０を形成する場合、アンテナ３２８は、８０２．１１プロトコルに従ってイーサネット２４のその他の無線アクセスポイント２２と双方向無線通信を行うためにも使用される。
【００９６】
例示的な実施例においては、底面３２０にある二つの１０／１００イーサネットポート３３０がハブ１４６０と医療施設のイーサネット２４との接続のために使用可能である。ハブ１４６０には交流１２０ボルトの入力ポート３３２と直流１５ボルトの出力ポート３３４が備わっている。幾つかの実施形態では、出力ポート３３４は標準直流電源同軸ジャックであるが、他の実施例では、ポート３３４は他の直流電源コネクタ構成でもよい。したがって、ハブ１４６０には標準コンセントからの交流１２０ボルトを直流１５.５ボルトに変換して２台のビーコンモジュール１１０に電力を供給する回路が含まれている。また、例示的な実施例では、タッチスクリーン３２６は１０インチのカラー液晶ディスプレイ（ＬＣＤ）抵抗膜方式タッチスクリーンであり、解像度８００×６００ピクセルのＳＶＧＡ（スーパー・ビデオ・グラフィックス・アレイ）を備えている。図示の実施例のものと異なる各種及び各サイズのタッチスクリーンも同様に本開示の範囲内である。
【００９７】
幾つかの実施形態では、ハブ１４６０はコントローラと内蔵充電式ニッケル水素（ＮｉＭＨ）バッテリーパックを備えている。バッテリーパックによって、ハブ１４６０は数秒間にわたる電源の瞬断に対し連続動作が可能である。より長時間の停電の場合は、ＮｉＭＨバッテリーパックによってハブ１４６０はバックアップデータをメモリに保存し、その後電源を落とす。
【００９８】
次に図２６〜図２８を参照すると、ＢＬＭ３１の例示的な実施形態が取り付けブラケット３４０に連結され、ブラケットは病院用ベッド４０に連結される。図２６〜図２８に示すように、ＢＬＭ３１には前面３４４、一対の側面３４６、上面３４８、底面３５０及び背面２５２を備える筐体３４２が含まれる。図１２に明示されるように、ブラケット３４０には、一対の側面３５４及び側面３５４を連結する背面３５６が備わっている。ブラケット２３０の背面３５６には、取り付けのための二つの穴３５７が備わり、ブラケット３４０とＢＬＭ３１をボルトやネジ等の適切な固定部品によって病院用ベッド４０に取り付けることができる。幾つかの実施形態では、ブラケット３１の背面３５６の裏側にベッド４０に取り付けるための、剥離紙を剥がして貼るステッカーが用意されている。ブラケット３４０を病院用ベッド４０に取り付けるには、必要に応じてクランプ、マジックテープ（ＶＥＬＣＲＯ（登録商標）ファースナー）、又は紐等、他の固定手段を使用するできる。ブラケット３４０の側面３５４のそれぞれには、ブラケット３４０の上端と下端のほぼ中間に穴３５８が開いている。筐体２３２の側面３５６には両側ともＭＤＡ開口部（図示されてはいないが、ＭＤＡ３０の各側面２３６にある開口部２５０と類似）が備わっている。側面３４６の開口部は、ＢＬＭ３１をブラケット３４０の両側面３５４の間に収めると、穴３５８と揃う。
【００９９】
図２６に示すように、ＢＬＭ３１をブラケット３４０に固定するために一対のノブ３６２が設けられる。ノブ３６２の一部を両側面３４６の穴３５８に差し込む。ノブ３６２を緩めると、ＢＬＭ３１は、各穴３５８を通る軸を中心にブラケット３４０に対して回動できる。そのため、筐体３４２の背面３５２とブラケット３４０の背面３５６の間には空間が設けられており、ＢＬＭ３１がブラケット３４０に対して回動できるようになっている。ＢＬＭ３１はその超音波受信機をよりビーコンモジュール１１０の方向に向かせるように回動できる。ＢＬＭ３１の向きを望ましい方向に向けることができたら、ノブ３６２を締め、ＢＬＭ３１をブラケット３４０に対して固定する。幾つかの実施形態では、側面３４６の開口部にはネジ山が刻まれており、ノブ３６２のネジ部分を受容できるようになっている。その他の実施形態では、開口部に近接する筐体３４２の内側部分にネジ穴を備えたナットが設けられ、ノブ３６２のネジ部分を受容できる。
【０１００】
前面３４４には中央部分にスロット３６６が入った僅かに球面状の円盤３６４が備わっている。ＢＬＭ３１の超音波受信機は、円盤３６４の裏側に位置している。幾つかの実施形態では、緑の状態表示ＬＥＤ（不図示）が設けられ、ＢＬＭ３１の正しい機能を表示する。
【０１０１】
図２８に示すように、凹領域３６８は、筐体３４２の底面３５０に設けられた大きな開口部３７０を通して利用できる。領域３６８内で利用可能なのは、ＲＳ−２３２ポート３７４、一連のユーザ入力３７６、及び電源ポート３７８である。ポート３７４は、ＢＬＭ３１の回路に対しプログラム及び設定のためのアクセスを提供する。したがって、別のコンピュータ装置をポート３７４に接続してＢＬＭ３１のソフトウェアの設定やプログラムが可能である。ユーザ入力３７６には、設定復旧ボタン、プログラムボタン及びリセットボタンが含まれる。幾つかの実施形態では、開口部３７０には回動可能アクセスパネルが設けられ、領域３６８にアクセスできないようにしている。
【０１０２】
ポート３７４は、適切な接続コードを使って局所データ収集モジュール１４とさらに接続可能であり、これによってＢＬＭ３１がビーコンモジュール１１０から受信する無線及び超音波信号の時間差をＢＬＭ３１からモジュール１４に伝えることができる。幾つかの実施形態では、ＢＬＭ３１には無線送受信機を備えることができ、時間差を無線でベッド上のモジュール１４及び／又は壁面或いは頭壁或いはその他の支持構造体上のモジュール１４６０に送信できる。このような無線伝送機能を持つＢＬＭ３１は、例えばベッド状態データをモジュール１４６０に送信するためにＭＤＡ３０を使用しないシステムにおいてビーコン１１０からベッドの距離を知る場合に、使用することができる。
【０１０３】
ＢＬＭ３１は、直流１５.５ボルトの電源で電力を供給されるように構成される。同様に、電源ポート３７８は凹領域３６８に設けられ、電源コード３８０の先端に備えられた直流１５.５ボルトの電源コネクタ３８２と接続される。幾つかの実施形態では、直流１５.５ボルトの電源はベッド４０上の局所データ収集モジュール１４から電源コード３８０に給電される。筐体３４２の底面３５０にはコードの通し溝３８４が設けられており、電源コード３８０の一部を通すことができる。また、保持タブ３８６によって電源コード３８０は溝３８４に保持される。一実施形態では、ポート３７８はＴｙｃｏ５−１０３６７３−１コネクタを備え、電源コネクタ３８２はＴｙｃｏ５−１０３９５７−１コネクタを備える。幾つかの実施形態では、ベッドハブ１４が、直流１５.５ボルトの電源を適切な電源ケーブル経由でＢＬＭ３１に供給する。ウォールハブ１４６０を使用する実施形態のように、ベッドハブ１４がベッドから省かれる実施形態では、直流１５.５ボルトの電源は、ベッドの電気系統によって供給される。ＢＬＭ３１が電源をベッドハブ１４から受ける場合、ベッドハブ１４のバックアップバッテリーは、バックアップバッテリーの電力が必要な場合のＢＬＭ３１用のバックアップバッテリーとしても使用される。
【０１０４】
次に図２９を参照すると、車輪台付きコンピュータ（ＣＯＷ）１０１４は、局所データ収集モジュールとして動作可能であり、部屋から部屋へ移動して、各病室の患者医療装置１２に連結されるＭＤＡ３０からデータを収集することができる。そのような実施形態では、特定の病室において、自動的にデータ記録を取得できるよう、ＣＯＷ１０１４と無線で通信しているどの装置１２がどの患者に関連付けられるべきか、医療従事者が選択できるようにＣＯＷ１０１４のディスプレイ１０６０に表示して促すことができる。幾つかの実施形態では、特定の患者に関連付けられている患者医療装置１２のＭＤＡ３０からのデータをＣＯＷ１０１４が受信した後、ＣＯＷ１０１４はデータを無線でＥＭＲコンピュータ７２に病院のイーサネット２４経由で送信できる。その他の実施形態では、ＣＯＷ１０１４は特定の患者に関して取得したデータを単に保存し、後でＥＭＲコンピュータ７２に送信することもできる。
【０１０５】
ＣＯＷ１０１４を使用することによって、医療従事者は病室から病室へと移動し、それらの病室に居るさまざまな患者のカルテに自動ログインするためのデータを取得できる。例示的な実施例では、図２９の点線経路矢印で示すように、医療従事者はＣＯＷ１０１４をすでに１０１、１０３及び１０４号室に運んでおり、図２９の実線矢印で示すようにこれから１０２号室に入ろうとしている。幾つかの実施形態では、データ取得はＣＯＷ１０１４により自動的に行われ、それにより医療従事者が行うべき手動によるデータ取得及び／又はデータ入力作業が低減されるか或いは不要となる。
【０１０６】
幾つかの実施形態では、ＣＯＷ１０１４に付随するキーボード１０２０を利用してある程度のデータ入力作業が必要になることがある。例えば、医療従事者に対して、ＣＯＷ１０１４のディスプレイ１０６０に記載される装置１２のどれが病室の特定患者に関連付けられるべきかの確認、ＣＯＷ１０１４によってデータの自動ログインを行うべき装置１２の選択（すべての装置１２からのデータをログ記録しない場合）、ＣＯＷ１０１４によって自動ログインを行うべき装置１２からのデータ種別の選択（特定の装置１２からのデータのサブセットのみをログ記録する場合）を求めることができる。しかし、ＣＯＷ１０１４によって、ＭＤＡ３０経由で患者医療装置１２からデータを自動取得するよりも取得できる電子データが多ければ多いほど、人的過誤の可能性が少なくなる。
【０１０７】
ＣＯＷ１０１４を使用するシステムでは、モジュール１４及び／又は１４６０を全ての病室に設置しないで済むため全体のシステムコストは削減される。しかしながら、その代わりに医療従事者が時間をかけて、装置１２からＭＤＡ３０経由で必要なデータを取得するために、ＣＯＷ１０１４を病室から病室に移動させなければならない。さらに、ＣＯＷ１０１４からのデータ転送は８０２．１５．４プロトコルに従って行われるため、幾つかの実施形態では、ＣＯＷ１０１４とＭＤＡ間の短距離無線通信を可能にするようＣＯＷ１０１４を病室内の十分な距離にまで持ち込まなければならない。各患者のＭＤＡ３０がメッシュネットワークを構築する実施形態では、ＣＯＷ１０１４は各患者の一つのＭＤＡ３０との通信範囲に持ち込むだけで良く、他のＭＤＡ３０のデータはメッシュネットワーク経由でＣＯＷ１０１４が通信を行っているＭＤＡ３０からＣＯＷ１０１４に転送される。代替的に、又は追加的に、ＣＯＷ１０１４及び装置１２を十分近くにまとめておき、それによってＣＯＷ１０１４はすべての装置１２からのデータを特定の患者に関連付けられたＭＤＡ３０から取得できる。
【０１０８】
本開示では、ＣＯＷ１０１４は特定の患者の電子カルテを、患者の病室に入室しその患者のＭＤＡ３０と通信を確立すること、又はＣＯＷ１０１４（例えば取り付けられた追跡タグにより）と位置検出及び追跡システム７０との通信に基づき、自動的に表示することを検討している。代替的に、医療従事者は手動で患者の電子カルテをＣＯＷ１０１４に表示することができる。患者の電子カルテをＣＯＷ１０１４上で開くと、装置１２からＭＤＡ３０経由で取得したデータの一部又は全部が患者の電子カルテの該当欄に表示され、医療従事者はその患者の電子カルテの他の欄にデータを入力することができる。すなわち、本開示では、患者の電子カルテに自動的に入力されないデータがあることを検討している。そのようなデータは、例えば関連付けられたＭＤＡ３０を有していない一つ以上の装置１２からのデータ、或いは体温や血圧のようにどの装置１２もその特定患者に対する監視をしておらず、看護師が直接患者の測定を行って入手するデータ等である。
【０１０９】
局所データ収集モジュール１４、ＭＤＡ３０、ビーコンモジュール１１０、及びＢＬＭ３１の各電気回路設計のうちの一実施形態の回路図が、２００８年１０月２０日に出願された米国仮特許出願第６１／１０６,８３０号に示されており、参照する当該仮出願の図３０Ａ〜３０Ｄに示される上記の各回路図を含む仮出願が教示するすべての内容を参照により本願明細書に明示的に援用する。米国仮特許出願第６１／１０６,８３０号は、本米国特許出願が公開され次第、米国特許庁のウェブサイトの公開ＰＡＩＲデータベースに電子的に公開（つまり公示）されるであろう。一実施形態では、モジュール１４はＴｒｉｄｉｕｍ社の製品番号ＨＴ−ＢＡＨ−ＢＤＨ０００であり、ＭＤＡ３０はＴｒｉｄｉｕｍ社の製品番号ＨＲ−ＢＡＨ−ＭＤＡ０００であり、ビーコンモジュール１１０はＴｒｉｄｉｕｍ社の製品番号ＨＲ−ＢＡＨ−ＰＢＭ０００であり、ＢＬＭ３１はＴｒｉｄｉｕｍ社の製品番号ＨＲ−ＢＡＨ−ＢＬＭ０００であり、ディスプレイ６０はＴｒｉｄｉｕｍ社の製品番号ＨＲ−ＢＡＨ−ＨＤＭ０００である。
【０１１０】
本願明細書の記載に基づき、システム１０、２００が、患者監視医療装置を含む装置１２からの主要患者データを無線で取得及び統合し、ＥＭＲ７２にそのデータを送信する中央集中型の技術ソリューションを設けることが理解できる。これは、ＭＤＡ３０とモジュール１４又はウォールハブ１４６０を共に使用する例示的な実施形態において達成される。ＭＤＡは無線及び超音波受信機を備えており、ビーコンモジュール１１０からのそれぞれ無線及び超音波信号を受信し、ＭＤＡ３０及び装置１２を特定のベッド４０又はベッド４０に関連付けられた患者に関連付けられる。ベッド４０には、同じ関連付けの目的でＭＤＡと類似の無線及び超音波受信機を備えたＢＬＭ３１を備えることができる。
【０１１１】
異なる実施形態においては、モジュール１４及びハブ１４６０は省かれ、ＭＤＡ３０は、ＭＤＡ３０に含まれる、或いはＭＤＡのＲＳ２３２ポート３４などのＭＤＡ３０の各ポートの一つに別途装着されるＷｉＦｉカードを使って、直接無線アクセスポイント（ＷＡＰ）２２経由でイーサネット２４と直接通信するように構成されている。ビーコンモジュール１１０及びＢＬＭ３１は、その関連付け機能を実施するために、この異なる実施形態においても使用される。さらに別の異なる実施形態では、無線及び超音波信号の代わりに、又はそれに加えて、超広帯域（ＵＷＢ）三角測量手法が使われる。ＵＷＢ三角測量を使用するそのようなシステムでは、ＭＤＡ３０及びＢＬＭ３１にはＵＷＢ受信機又は送受信機が備えられ、ビーコンモジュール１１０にはＵＷＢ送信機又は送受信機が備えられる。ＵＷＢ信号を三角測量するには、各ＭＤＡ３０及び／又はＢＬＭ３１は通常少なくとも関連付けコンピュータにとって二つの既知の（すなわちメモリに保存された）場所に設置されたＵＷＢビーコンモジュールからＵＷＢ信号を受信する必要がある。ＵＷＢ信号の飛行時間が三角測量の計算に使われる。
【０１１２】
本開示では、ＭＤＡ３０及びＢＬＭ３１は無線、超音波及びＵＷＢ受信機又は送受信機を備え、無線及び超音波信号は装置１２とベッド４０が特定の患者の病室に設置された場合に、装置とベッド（又は患者）の関連付けに使われ、ＵＷＢ信号は、装置１２及び／又はベッド４０が例えば医療施設内のある場所から他の場所に移動する等、患者の病室外にある場合に、その移動を追跡するのに使われることが考えられる。本願明細書の対象となるシステムのベッド４０、患者、及び装置１２を関連付けるためのさらなる変形例には、ベッド上の無線自動識別（ＲＦＩＤ）読み取り装置で患者が装着するＲＦＩＤリストバンドを読み取る（つまり無線信号を受信する）ことが含まれる。ベッド上のＲＦＩＤ読み取り器は、医療従事者が装着するＲＦＩＤタグ又はバッジからの信号も受信することができ、場合によってそのデータはベッドハブ１４又はウォールハブ１４６０に提供される。装置１２及び／又はベッド４０からの測定値が、ベッドハブ１４又はウォールハブ１４６０によって、ＥＭＲ又はその他の遠隔システムに送信されるときに患者の病室に居た１人又はそれ以上の医療従事者の識別情報も、遠隔システムのレコードに保存できる。
【０１１３】
本開示によると、装置１２の使用時間又は稼働時間は、ＭＤＡ３０、ベッドハブ１４及び／又はウォールハブ１４６０により送信される情報に基づき、遠隔コンピュータで追跡することができる。幾つかの検討された実施形態では、遠隔コンピュータはそのような情報をその遠隔コンピュータに保存されている又は他のコンピュータに関連付けられた別のデータベースにアクセスして得られる保守又は修理スケジュールと比較するようプログラムできる。修理又は保守作業は、使用時間データを保守又は修理スケジュールと比較して、そのような保守又は修理作業が特定の装置１２、ＭＤＡ３０、ベッドハブ１４、ウォールハブ１４６０などにおいて必要であると示された場合、ワークフローシステム７６により予定することができる。必要な修理作業の一実施例には、予め決められた一定時間使用された後の装置１２の較正が含まれる。
【０１１４】
また、本開示では、前述のようにＭＤＡ３０、ベッドハブ１４及び／又はウォールハブ１４６０によって送信された情報に基づき遠隔コンピュータによって追跡される装置１２の使用時間又は供用時間に関するデータは、より正確な患者請求書の作成にも使用できることが考えられる。例えば、患者（又はその保険会社）に対して、患者への治療又は診療に実際に装置が使われた時間を反映しない日数又はその他の時間に基づく請求の代わりに、実際に患者に治療や診療を提供した装置の使用時間又は分に基づいて請求することができる。本願明細書で検討されたシステム１０、２００はこの使用時間追跡機能を自動的に行うのに適しており、医療従事者が手動で同じことを行うことはほぼ不可能に近い。
【０１１５】
また、本開示によれば、ＭＤＡ、ベッドハブ１４、及び／又はウォールハブ１４６０によって取得された情報は、装置の製造業者又は食品医薬品局（ＦＤＡ）等の規制当局が切り出せる製品リコールを容易にするために有益であると思われる。そのようなリコールは、ときには装置１２が特定のファームウェアバージョン数又は特定の製造番号、又はその他の固有な識別の特徴を有する場合に限られることがあり、必ずしも医療施設で使用されている特定製造業者の類似の型の装置１２全てに適用されない。大規模な病院では、ときには一般的な型式では同一の数千もの機器が存在することがあるが、ファームウェアバージョン数、製造番号、製造ロット番号等は異なっている。従って、本開示によれば、システム１０、２００は、システム７０、７２、７４、７６、７８、８０のいずれかの遠隔コンピュータを使ってリコール対象の特定の個別装置１２の医療施設における正確な位置を示すレポートを生成するよう動作できる。そのようなリコールのレポートを生成できるシステムの幾つかの実施形態においては、そのようなレポート作成に必要な特定の装置識別データは、ベッドハブ１４及び／又はウォールハブ１４６０及び／又はハブサーバー２０６に保存できる。
【０１１６】
一部の実施例では、ハブ１４、１４６０は、ＰｏｗｅｒＰＣ ４４０Ｅｐｘ ６６７ ＭＨｚプロセッサ、ＬＣＥタッチスクリーンサポート用の統合ＰＣＩグラフィックコントローラ、オンボード１ＧＢ ＮＡＮＤフラッシュストレージ（アップグレード不可）、１ＧＢまでのフィールドアップグレードが可能なベース５１２ ＭＢ ＤＤＲ−２ ３３３Ｍｈｚ ＲＡＭ（業務グレード、幾つかの実施形態ではＴｒｉｄｉｕｍ社製）、２つのギガビットイーサネットポート、２つのＵＳＢ-２.０ポート、標準ＲＳ−２３２ポート、絶縁ＲＳ−４８５／電源ポート（標準電源非供給絶縁ＲＳ−４８５ポートとして、又は拡張モジュールとの使用可能）、ＭｉｎｉＰＣＩオプションスロット（ＷｉＦｉ ８０２．１１ｇ対応）、及びＬｏｎＷｏｒｋｓ（登録商標）、ＲＳ−４８５又はＲＳ−２３２、ＧＰＲＳ／Ｅｄｇｅ携帯無線、ＩＰｖ６／Ｚｉｇｂｅｅ Ｐｒｏ ８０２．１５．４無線など用の２つのＪＡＣＥ（登録商標）通信オプションスロットの特徴又は機能を有している。さらに、幾つかの実施形態では、ハブ１４、１４６０は、Ｔｒｉｄｉｕｍ社の市販品でＱＮＸ−ＯＳ及びＴｒｉｄｉｕｍ社製のＮｉａｇａｒａ Ｆｒａｍｅｗｏｒｋソフトウェアが搭載されている。ハブ１４がベッド４０の回路に取り付けられるか又は含まれている場合、ハブ１４はベッドから交流１２０ボルトの線間電圧を供給され、ベッドは標準コンセントから電源を供給される。ハブ１４には、交流１２０ボルトの線間電圧を使用する一つ又はそれ以上の直流電圧に変換する回路を備えている。
【０１１７】
一実施形態では、ハブ１４、１４６０は、ミズーリ州カンザスシティーのＣｅｒｎｅｒ Ｃｏｒｐｏｒａｔｉｏｎ製Ｃｅｒｎｅｒ Ｃｏｎｎｅｃｔｉｖｉｔｙ Ｍｏｄｕｌｅ（ＣＭＭ）ソフトウェアを搭載している。同社は、病院へのＥＭＲシステムサプライヤーである。したがって、本開示では、ＥＭＲシステム７２はＣｅｒｎｅｒ社が医療施設に提供しているものとし、ハブ１４、１４６０はＣｅｒｎｅｒ社のＥＭＲシステムに互換性を持つように構成されると考える。Ｃｅｒｎｅｒ社のＣＭＭソフトウェアには、装置データを取得し通信するためのプロトコルを含む１００以上のデバイスドライバが搭載されている。
【０１１８】
上記に示唆したように、ハブサーバー２０６はハブ１４、１４６０とＡＤＴ及び／又はＥＭＲシステム７２、７４等のその他のシステムとの通信媒介体の機能を果たす。より具体的には、幾つかの実施形態では、サーバー２０６はすべてのＭＤＡ３０及びハブ１４、１４６０の使用状況と位置データを取り扱い、ＡＤＴ及び／又はＥＭＲシステム７２、７４と通信を行い、患者を病室に関連付けセキュリティ等の管理的作業を取り扱う。サーバー２０６はハブ１４、１４６０からのすべてのデータを収集し、そのデータをインターフェイスゲートウェイに送信する。ハブ１４、１４６０の日常動作のためのソフトウェアは、別のＢｉｏＭｅｄ Ｃｏｎｆｉｇｕｒａｔｉｏｎ Ｓｔａｔｉｏｎに搭載されるＢｉｏＭｅｄ Ｃｏｎｆｉｇｕｒａｔｉｏｎ Ｓｔａｔｉｏｎ Ｓｏｆｔｗａｒｅを除いてサーバー２０６に含まれる（つまり、サーバー２０６の又はサーバー２０６に関連するデータベースに保存される）。ハブサーバー２０６は、ハブ１４、１４６０の専用ではなくイーサネット２４に接続されている他の装置に対する業務も行うことができることを理解する必要がある。さらに、本開示では、幾つかの実施形態において、ハブサーバー２０６にニュージーランド、オークランドのＯｒｉｏｎ Ｈｅａｌｔｈ社製Ｒｈａｐｓｏｄｙソフトウェアを搭載し、ある種類のメッセージから別の種類のメッセージへとプロトコル変換を行うこと、及び検討される実施形態においてハブサーバー２０６とＡＤＴシステム７４の通信を可能にすることが考えられる。
【０１１９】
本開示では、幾つかの実施形態において、ＭＤＡ３０の設定及び試験を行うに当たり、ＢｉｏＭｅｄ ＳｔａｔｉｏｎがＢｉｏＭｅｄ技術者又は医療スタッフに対して、ＭＤＡ３０を特定の医療装置１２に割り当て、ビーコンモジュール１１０を特定の病室に割り当て、ディスプレイ６０を特定の病室に割り当て、及びＢＬＭ３１を特定のベッドに割り当てる前工程を提供することを検討する。Ｍｉｃｒｏｓｏｆｔ Ｗｉｎｄｏｗｓ（登録商標）プラットフォームで動作し、４０ギガバイトハードドライブを備える標準的パーソナルコンピュータ（ＰＣ）であれば、どれでもＢｉｏＭｅｄ Ｓｔａｔｉｏｎとして使用することができる。これには、ＢｉｏＭｅｄ技術者またはその他の医療スタッフが移動環境（医療施設を歩き回り施設の様々な場所で設定及び／又は割り当て作業を行う等）でＭＤＡ３０、ＢＬＭ３１、ディスプレイ６０（ウォールハブ１４６０のディスプレイを含む）、及びビーコンモジュール１１０の設定及び／又は割り当てを行うことを可能にするラップトップを含む。ＢｉｏＭｅｄ Ｓｔａｔｉｏｎの設定と割り当て機能に関して、これは例えば、シリアル番号、インターネットプロトコル（ＩＰ）アドレス、病室番号及び／又はベッド番号等のコンポーネント識別データを使って行うことができる。
【０１２０】
インターフェイスゲートウェイは、Ｃｅｒｎｅｒ ＭＤＢｕｓ（登録商標）ゲートウェイ又はその他の製造業者のゲートウェイを備えることができる。インターフェイスゲートウェイは有効データを収集して、そのデータを患者のカルテに反映する。Ｃｅｒｎｅｒ社製でないＥＭＲシステム７２の一部では、サーバー２０６はインターフェイスゲートウェイを使わずに、直接データをＥＭＲシステム７２に転送することができる。幾つかの実施形態では、Ｍｉｃｒｏｓｏｆｔ Ｗｉｎｄｏｗｓ（登録商標）プラットフォームを搭載し、４０ギガバイトのハードドライブを備えた標準パーソナルコンピュータ（ＰＣ）がハブサーバー２０６として使用される。
【０１２１】
前述のように、ベッドハブ１４及びウォールハブ１４６０は、該ハブに保存あるいはハブサーバー２０６に関連するデータベースに保存されたデバイスドライバライブラリから取得可能なデバイスドライバソフトウェアを有する。デバイスドライバソフトウェアによって、各種医療装置プロトコルによる情報がハブ１４、１４６０に受け入れられるようになる。幾つかの実施形態では、Ｂｒｏａｄｃｏｍ ＢＣＭ９４３０６無線ＬＡＮ Ｍｉｎｉ−ＰＣアダプタカードがＭＤＡ３０とベッドハブ１４又はウォールハブ１４６０間のＷｉＦｉ又はイーサネット無線通信に使われる。本願明細書で説明するシステム１０、２００では、ベッドハブ１４及び１４６０は、対応する患者に関連付けられる少なくとも１０台の医療装置についてＭＤＡ３０からの無線データを受信することができる。
【０１２２】
幾つかの実施形態では、システム１０、２００は、Ｓｉｇｍａ Ｓｐｅｃｔｒｕｍ注入装置、Ｄａｔａｓｃｏｐｅ Ｐａｓｓｐｏｒｔモニター装置、Ｄａｔａｓｃｏｐｅ Ｐａｓｓｐｏｒｔ ２ モニター装置、ＧＥ Ｅａｇｌｅ ４０００モニター装置、ＧＥ Ｄａｓｈ ４０００、５０００、６０００モニター装置、Ｐｈｉｌｉｐｓ ＭＰ５０モニター装置、Ｅｄｗａｒｄ Ｌｉｆｅ Ｓｃｉｅｎｃｅ Ｖｉｇｉｌａｎｃｅ Ｉモニター装置、Ｅｄｗａｒｄ Ｌｉｆｅ Ｓｃｉｅｎｃｅ Ｖｉｇｉｌｅｏモニター装置、Ｎｅｌｌｃｏｒ Ｎ６００パルス酸素濃度計、Ｒｅｓｐｉｒｏｎｉｃｓ Ｅｓｐｒｉｔ人工呼吸器、Ｓｅｎｓｏｒｍｅｄｉｃｓ ３１００Ａ 人工呼吸器、Ｍａｑｕｅｔ ｓｅｒｖｏ ｉ 人工呼吸器、Ｐｕｒｉｔａｎ Ｂｅｎｎｅｔｔ ８４０ 人工呼吸器、Ｐｕｒｉｔａｎ Ｂｅｎｎｅｔｔ ７２００ 人工呼吸器、Ｗｅｌｃｈ Ａｌｌｙｎ ＶＳＭ ５３００ 生体信号モニター装置、及びＨｉｌｌ-Ｒｏｍ ＴｏｔａｌＣａｒｅ病院用ベッドなどといった装置１２と互換性がある（通信ができる設定となっている）。前掲のリストは、本開示におけるシステム１０、２００の装置１２を構成する特定の装置の包括的リストを意図したものではない。本リストは、システム１０、２００に含めることができ、ＭＤＡ３０とハブ１４、１４６０が通信できる装置の種類と製造業者が広範にわたっていることを示すために提供されている。
【０１２３】
幾つかの実施形態では、ベッド４０はベッドデータをＥｃｈｅｌｏｎネットワーク（ＬＯＮ等）経由でベッドハブ１４と通信し、他の実施例ではベッド４０はベッドデータをコントローラエリアネットワーク（ＣＡＮ）経由でベッドハブ１４と通信する。したがって、ベッド４０とハブ１４間でＣＡＮ通信を行う実施形態では、ハブ１４にＣＡＮカードが備えられる。さらに別の実施形態では、ハブ１４はベッド４０に設置されるがベッドデータを全く受信せず、その結果ベッド４０は単にハブ１４を設置するための構造を提供するに過ぎない。
【０１２４】
上記に特定の複数の例示的な実施形態を詳細に説明したが、以下の請求範囲で説明及び定義するように、本開示の思想及び範囲内において応用例及び変形例が存在する。
【図１】
0005646336.tif 000002
【図２】
0005646336.tif 000003
【図３】
0005646336.tif 000004
【図４】
0005646336.tif 000005
【図５】
0005646336.tif 000006
【図６】
0005646336.tif 000007
【図７】
0005646336.tif 000008
【図８】
0005646336.tif 000009
【図９】
0005646336.tif 000010
【図１０】
0005646336.tif 000011
【図１１】
0005646336.tif 000012
【図１２】
0005646336.tif 000013
【図１３】
0005646336.tif 000014
【図１４】
0005646336.tif 000015
【図１５】
0005646336.tif 000016
【図１６】
0005646336.tif 000017
【図１７】
0005646336.tif 000018
【図１８】
0005646336.tif 000019
【図１９】
0005646336.tif 000020
【図２０】
0005646336.tif 000021
【図２１】
0005646336.tif 000022
【図２２】
0005646336.tif 000023
【図２３】
0005646336.tif 000024
【図２４】
0005646336.tif 000025
【図２５】
0005646336.tif 000026
【図２６】
0005646336.tif 000027
【図２７】
0005646336.tif 000028
【図２８】
0005646336.tif 000029
【図２９】
0005646336.tif 000030